(57)【要約】  本発明は、無線通信ネットワーク用の測定方法、基地局および端末を提供する。方法において、測定対象のタイプを区別することに用いられる区別識別子が運ばれる測定対象配置情報を含む測定配置情報を端末に送信することと、端末から特定済み測定対象の測定後に送信される測定結果を受信することとを含む。特定済み測定対象は、端末が区別識別子に基づいて特定したものである。測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む。区別識別子は、絶対無線周波数チャネル番号である。【選択図】  図４
2019525560.tif 000002
【特許請求の範囲】
【請求項１】
無線通信ネットワーク用の測定方法であって、
測定対象のタイプを区別することに用いられる区別識別子が運ばれる測定対象配置情報を含む測定配置情報を端末に送信することと、
該端末から特定済み測定対象の測定後に送信される測定結果を受信することとを含み、
前記特定済み測定対象は、前記端末が前記区別識別子に基づいて特定したものであり、
前記測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含み、
前記区別識別子は、絶対無線周波数チャネル番号である無線通信ネットワーク用の測定方法。
【請求項２】
前記測定対象のタイプがＭｕｌｔｅＦｉｒｅネットワークのセルである場合、
前記区別識別子は、さらに、ＭｕｌｔｅＦｉｒｅネットワークの指定周波数帯の指定周波数点を測定すること、または、指定ＭｕｌｔｅＦｉｒｅネットワークの周波数帯の周波数点の全体集合を測定すること、または、指定ＭｕｌｔｅＦｉｒｅネットワークの周波数帯の周波数点の部分集合を測定することを指示することに用いられ、
または、
前記測定対象配置情報には、指定ＭｕｌｔｅＦｉｒｅネットワークの周波数帯の周波数点の全体集合を測定すること、または、指定ＭｕｌｔｅＦｉｒｅネットワークの周波数帯の周波数点の部分集合を測定することを指示することに用いられるＭｕｌｔｅＦｉｒｅ周波数帯指示フィールドも運ばれる請求項１に記載の無線通信ネットワーク用の測定方法。
【請求項３】
前記ＬＡＡ周波数点に対応する第１絶対無線周波数チャネル番号は、前記ＭｕｌｔｅＦｉｒｅ周波数点に対応する第２絶対無線周波数チャネル番号とは異なり、かつ、前記第１絶対無線周波数チャネル番号と前記第２絶対無線周波数チャネル番号とは、同一周波数帯を使用し、
前記第１絶対無線周波数チャネル番号は、実際に使用される周波数帯での絶対無線周波数チャネル番号であり、
前記第２絶対無線周波数チャネル番号は、実際に使用されない周波数帯での絶対無線周波数チャネル番号である請求項１に記載の無線通信ネットワーク用の測定方法。
【請求項４】
前記ＬＡＡ周波数点に対応する第１絶対無線周波数チャネル番号は、前記ＭｕｌｔｅＦｉｒｅ周波数点に対応する第２絶対無線周波数チャネル番号とは異なり、かつ前記第１絶対無線周波数チャネル番号と前記第２絶対無線周波数チャネル番号とは、異なる周波数帯に属し、
前記第１絶対無線周波数チャネル番号は、実際に使用される周波数帯での絶対無線周波数チャネル番号であり、
前記第２絶対無線周波数チャネル番号は、現在定義されていない専用周波数帯番号に設定されるチャネル番号であり、
前記専用周波数帯番号には、定義されていない絶対無線周波数チャネル番号が対応付けて設定されている請求項１に記載の無線通信ネットワーク用の測定方法。
【請求項５】
前記第２絶対無線周波数チャネル番号が属する周波数帯番号は、Ｂａｎｄ６９〜Ｂａｎｄ２５５のうちの１つまたは複数の周波数帯番号であり、
前記第２絶対無線周波数チャネル番号は、６７８３６〜２６２１４３のうちの１つまたは複数のチャネル番号である請求項４に記載の無線通信ネットワーク用の測定方法。
【請求項６】
前記第２絶対無線周波数チャネル番号が属する周波数帯の範囲は、５１５０ＭＨｚ〜５９２５ＭＨｚである請求項４に記載の無線通信ネットワーク用の測定方法。
【請求項７】
前記測定配置情報には、測定報告配置情報がさらに含まれ、
該測定報告配置情報には、測定報告報知指示情報が運ばれ、または、前記測定配置情報の測定対象配置情報には、前記測定報告報知指示情報が運ばれ、
該測定報告報知指示情報は、指定ＭｕｌｔｅＦｉｒｅセルの測定結果を報知するよう端末に指示することに用いられる請求項１に記載の無線通信ネットワーク用の測定方法。
【請求項８】
前記測定報告報知指示情報は、公衆陸上移動体ネットワークＰＬＭＮアクセスモードのＭｕｌｔｅＦｉｒｅセルの測定結果のみ、またはニュートラルホストネットワークＮＨＮアクセスモードのＭｕｌｔｅＦｉｒｅセルの測定結果のみを報知するよう端末に指示することに用いられ、
または、
前記測定報告報知指示情報は、指定公衆陸上移動体ネットワークＰＬＭＮ−ＩＤまたは指定ＮＨＮ−ＩＤのＭｕｌｔｅＦｉｒｅセルの測定結果のみを報知するよう端末に指示することに用いられる請求項７に記載の無線通信ネットワーク用の測定方法。
【請求項９】
前記測定報告報知指示情報は、指定ＰＬＭＮ−ＩＤまたは指定ＮＨＮ−ＩＤのＭｕｌｔｅＦｉｒｅセルの測定結果のみを報知するよう端末に指示することに用いられる場合、
前記測定報告報知指示情報は、第１ＰＬＭＮ−ＩＤリストを含み、前記測定報告報知指示情報は、前記第１ＰＬＭＮ−ＩＤリストのうちの少なくとも１つのＰＬＭＮ−ＩＤが放送メッセージでのＰＬＭＮ−ＩＤリストに含まれるＭｕｌｔｅＦｉｒｅセルの測定結果のみを報知するよう前記端末に指示することに用いられ、
または、
前記測定報告報知指示情報は、第１ＮＨＮ−ＩＤリストを含み、前記測定報告報知指示情報は、放送メッセージでのＮＨＮ−ＩＤと、前記測定報告報知指示情報でのＮＨＮ−ＩＤリストのうちの１つのＮＨＮ−ＩＤとは同一であるＭｕｌｔｅＦｉｒｅセルの測定結果のみを報知するよう前記端末に指示することに用いられる請求項８に記載の無線通信ネットワーク用の測定方法。
【請求項１０】
前記測定報告報知指示情報は、指定ＰＬＭＮ−ＩＤまたは指定ＮＨＮ−ＩＤのＭｕｌｔｅＦｉｒｅセルの測定結果のみを報知するよう前記端末に指示することに用いられる場合、
前記測定報告報知指示情報は、切り替えが許容されるＭｕｌｔｅＦｉｒｅセルの測定結果のみを報知するよう前記端末に指示することに用いられる請求項８に記載の無線通信ネットワーク用の測定方法。
【請求項１１】
前記切り替えが許容されるＭｕｌｔｅＦｉｒｅセルは、
放送メッセージでのＰＬＭＮ−ＩＤリストに端末の登録公衆陸上移動体ネットワークＲＰＬＭＮまたは等価な公衆陸上移動体ネットワークＥＰＬＭＮが含まれるＭｕｌｔｅＦｉｒｅセル、または、アクセス中セルとはＮＨＮ−ＩＤが同一であるＭｕｌｔｅＦｉｒｅセルを含む請求項１０に記載の無線通信ネットワーク用の測定方法。
【請求項１２】
前記測定報告報知指示情報は、切り替えが許容されるＭｕｌｔｅＦｉｒｅセルの測定結果のみを報知するよう前記端末に指示することに用いられる場合、
前記測定報告報知指示情報は、前記測定報告配置情報に含まれるｓｉ−ＲｅｑｕｅｓｔＦｏｒＨＯフィールドであり、
該ｓｉ−ＲｅｑｕｅｓｔＦｏｒＨＯフィールドは、切り替えが許容されるＭｕｌｔｅＦｉｒｅセルの測定結果のみを報知するよう端末に指示することに用いられる請求項１０または請求項１１に記載の無線通信ネットワーク用の測定方法。
【請求項１３】
無線通信ネットワーク用の測定方法であって、
ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む測定対象のタイプを区別することに用いられる区別識別子が運ばれる測定対象配置情報を含む測定配置情報を基地局から受信することと、
絶対無線周波数チャネル番号である前記区別識別子に基づいて前記測定対象を特定することと、
特定済みの前記測定対象を測定して測定結果を得ることと、
前記測定結果を基地局に送信することとを含む無線通信ネットワーク用の測定方法。
【請求項１４】
前記区別識別子に基づいて前記測定対象を特定することは、
前記区分識別子が、前記ＬＡＡ周波数点に対応する第１絶対無線周波数チャネル番号であれば、ＬＡＡセルを測定対象として特定すること、
前記区分識別子が、ＭｕｌｔｅＦｉｒｅ周波数点に対応する第２絶対無線周波数チャネル番号であれば、前記ＭｕｌｔｅＦｉｒｅセルを前記測定対象として特定すること、
前記区分識別子が、前記ＬＴＥ周波数点に対応する第３絶対無線周波数チャネル番号であれば、前記ＬＴＥセルを前記測定対象として特定することを含む請求項１３に記載の無線通信ネットワーク用の測定方法。
【請求項１５】
前記ＭｕｌｔｅＦｉｒｅセルを前記測定対象として特定すると、
前記第２絶対無線周波数チャネル番号または前記測定対象配置情報に運ばれるＭｕｌｔｅＦｉｒｅ周波数帯識別子に基づいて、指定ＭｕｌｔｅＦｉｒｅ周波数帯の指定周波数点のセル、または、指定ＭｕｌｔｅＦｉｒｅ周波数帯の周波数点の全部集合のセル、または、指定ＭｕｌｔｅＦｉｒｅ周波数帯の周波数点の部分集合のセルを前記測定対象として特定することをさらに含む請求項１４に記載の無線通信ネットワーク用の測定方法。
【請求項１６】
前記ＬＡＡ周波数点に対応する第１絶対無線周波数チャネル番号は、前記ＭｕｌｔｅＦｉｒｅ周波数点に対応する第２絶対無線周波数チャネル番号とは異なり、かつ、前記第１絶対無線周波数チャネル番号と前記第２絶対無線周波数チャネル番号とは、同一周波数帯に属し、
前記第１絶対無線周波数チャネル番号は、実際に使用される周波数帯での絶対無線周波数チャネル番号であり、
前記第２絶対無線周波数チャネル番号は、実際に使用されない周波数帯での絶対無線周波数チャネル番号であり、
特定済みの前記測定対象を測定して測定結果を得ることは、
前記第２絶対無線周波数チャネル番号と、実際に使用される周波数帯での絶対無線周波数チャネル番号とのマッピング関係に基づいてＭｕｌｔｅＦｉｒｅの中心周波数点を得、前記ＭｕｌｔｅＦｉｒｅの中心周波数点のセルを測定して測定結果を得ることを含む請求項１５に記載の無線通信ネットワーク用の測定方法。
【請求項１７】
前記第２絶対無線周波数チャネル番号と、実際に使用される周波数帯での絶対無線周波数チャネル番号とのマッピング関係に基づいてＭｕｌｔｅＦｉｒｅの中心周波数点を得ることは、
ＦＤＬ＝ＦＤＬ＿ｌｏｗ＋０．１（ＮＤＬ−ＮＯｆｆｓ−ＤＬ）（ＦＤＬ＿ｌｏｗ：ダウンリンク動作周波数帯の最小周波値；ＦＤＬ：ダウンリンク動作周波数帯の中心周波数点；ＮＤＬ：前記第２絶対無線周波数チャネル番号に対応し、実際に使用されるダウンリンク周波数帯の絶対無線周波数チャネル番号；ＮＯｆｆｓ−ＤＬ：ダウンリンク動作周波数帯の絶対無線周波数チャネル番号オフセット）によって、ＭｕｌｔｅＦｉｒｅのダウンリンク周波数帯の中心周波数点を得ることと、
ＦＵＬ＝ＦＵＬ＿ｌｏｗ＋０．１（ＮＵＬ−ＮＯｆｆｓ−ＵＬ）（ＦＵＬ＿ｌｏｗ：アップリンク動作周波数帯の最小周波値；ＦＵＬ：アップリンク動作周波数帯の中心周波数点；ＮＵＬ：アップリンク第２絶対無線周波数チャネル番号に対応し、実際に使用されるアップリンク周波数帯の絶対無線周波数チャネル番号；ＮＯｆｆｓ−ＵＬ：アップリンク動作周波数帯の絶対無線周波数チャネル番号オフセット）によって、ＭｕｌｔｅＦｉｒｅのアップリンク周波数帯の中心周波数点を得ることとを含む請求項１６に記載の無線通信ネットワーク用の測定方法。
【請求項１８】
前記第２絶対無線周波数チャネル番号と、実際に使用される周波数帯での絶対無線周波数チャネル番号とのマッピング関係に基づいてＭｕｌｔｅＦｉｒｅの中心周波数点を得ることは、
ＦＤＬ＝ＦＤＬ＿ｌｏｗ＋０．１（ＮＤＬ−Ｋ−ＮＯｆｆｓ−ＤＬ）（ＦＤＬ：ダウンリンク動作周波数帯の中心周波数点；ＦＤＬ＿ｌｏｗ：ダウンリンク動作周波数帯の最小周波値；ＮＤＬ：ダウンリンク第２絶対無線周波数チャネル番号に対応し、実際に使用されるダウンリンク周波数帯の絶対無線周波数チャネル番号；ＮＯｆｆｓ−ＤＬ：ダウンリンク動作周波数帯の絶対無線周波数チャネル番号オフセット；Ｋ：前記第２絶対無線周波数チャネル番号と、対応する実際に使用されるチャネル番号との間隔；Ｋ＜２００）によって、ＭｕｌｔｅＦｉｒｅネットワークのダウンリンク周波数帯の中心周波数点を得ることと、
ＦＵＬ＝ＦＵＬ＿ｌｏｗ＋０．１（ＮＵＬ−Ｋ−ＮＯｆｆｓ−ＵＬ）（ＦＵＬ：アップリンク動作周波数帯の中心周波数点；ＦＵＬ＿ｌｏｗ：アップリンク動作周波数帯の最小周波値；ＮＵＬ：アップリンク第２絶対無線周波数チャネル番号に対応し、実際に使用されるアップリンク周波数帯の絶対無線周波数チャネル番号；ＮＯｆｆｓ−ＵＬ：アップリンク動作周波数帯の絶対無線周波数チャネル番号オフセット；Ｋ：前記第２絶対無線周波数チャネル番号と、対応する実際に使用されるチャネル番号との間隔；Ｋ＜２００）によって、ＭｕｌｔｅＦｉｒｅネットワークのアップリンク周波数帯の中心周波数点を得ることとを含む請求項１６に記載の無線通信ネットワーク用の測定方法。
【請求項１９】
前記ＬＡＡの周波数点に対応する第１絶対無線周波数チャネル番号は、前記ＭｕｌｔｅＦｉｒｅの周波数点に対応する第２絶対無線周波数チャネル番号とは異なり、かつ前記第１絶対無線周波数チャネル番号と前記第２絶対無線周波数チャネル番号とは、異なる周波数帯に属し、
前記第１絶対無線周波数チャネル番号は、実際に使用される周波数帯での絶対無線周波数チャネル番号であり、
前記第２絶対無線周波数チャネル番号は、現在定義されていない専用周波数帯番号に設定されるチャネル番号であり、
前記専用周波数帯番号には、定義されていない絶対無線周波数チャネル番号が対応付けて設定され、
特定済みの前記測定対象を測定して前記測定結果を得ることは、
ＦＤＬ＝ＦＤＬ＿ｌｏｗ＋０．１（ＮＤＬ−ＮＯｆｆｓ−ＤＬ）（ＦＤＬ＿ｌｏｗ：ダウンリンク動作周波数帯の最小周波値；ＦＤＬ：ダウンリンク動作周波数帯の中心周波数点；ＮＤＬ：ダウンリンク第２絶対無線周波数チャネル番号；ＮＯｆｆｓ−ＤＬ：ダウンリンク動作周波数帯の絶対無線周波数チャネル番号オフセット）によって、ＭｕｌｔｅＦｉｒｅのダウンリンク周波数帯の中心周波数点を得ることと、
ＦＵＬ＝ＦＵＬ＿ｌｏｗ＋０．１（ＮＵＬ−ＮＯｆｆｓ−ＵＬ）（ＦＵＬ＿ｌｏｗ：アップリンク動作周波数帯の最小周波値；ＦＵＬ：アップリンク動作周波数帯の中心周波数点；ＮＵＬ：アップリンク第２絶対無線周波数チャネル番号；ＮＯｆｆｓ−ＵＬ：アップリンク動作周波数帯の絶対無線周波数チャネル番号オフセット）によって、ＭｕｌｔｅＦｉｒｅのアップリンク周波数帯の中心周波数点を得ることとを含む請求項１５に記載の無線通信ネットワーク用の測定方法。
【請求項２０】
前記測定対象が、指定ＭｕｌｔｅＦｉｒｅの周波数帯の周波数点の全部集合のセルまたは指定ＭｕｌｔｅＦｉｒｅの周波数帯の周波数点の部分集合のセルであれば、前記測定結果には、測定済みのＭｕｌｔｅＦｉｒｅ周波数点情報を指示する指示フィールドが運ばれる請求項１５に記載の無線通信ネットワーク用の測定方法。
【請求項２１】
前記指示フィールドは、前記測定結果に追加される絶対無線周波数チャネル番号フィールドまたは前記測定結果の任意のフィールドである請求項２０に記載の無線通信ネットワーク用の測定方法。
【請求項２２】
前記基地局に前記測定結果を送信することは、
端末が、自主的に、または、前記測定配置情報での前記測定報告報知指示情報に基づいて、指定ＭｕｌｔｅＦｉｒｅセルの測定結果を前記基地局に送信することを含む請求項１３に記載の無線通信ネットワーク用の測定方法。
【請求項２３】
前記端末が、前記測定配置情報での前記測定報告報知指示情報に基づいて、指定ＭｕｌｔｅＦｉｒｅセルの前記測定結果を前記基地局に送信することは、
前記端末が、前記測定配置情報の前記測定報告配置情報に運ばれる測定報告報知指示情報、または、前記測定配置情報での前記測定対象配置情報に運ばれる前記測定報告報知指示情報に基づいて、指定ＭｕｌｔｅＦｉｒｅセルの測定結果を前記基地局に送信することを含み、
ここで、前記測定報告報知指示情報は、指定ＭｕｌｔｅＦｉｒｅセルの前記測定結果を報知するよう前記端末に指示することに用いられる請求項２２に記載の無線通信ネットワーク用の測定方法。
【請求項２４】
前記端末が自主的に指定ＭｕｌｔｅＦｉｒｅセルの前記測定結果を前記基地局に送信することは、
アクセス中セルが公衆陸上移動体ネットワークＰＬＭＮアクセスモードのＭｕｌｔｅＦｉｒｅセルまたはＬＴＥセルであれば、前記端末が、ＰＬＭＮアクセスモードのＭｕｌｔｅＦｉｒｅセルの前記測定結果のみを前記基地局に送信すること、
または、
アクセス中セルがニュートラルホストネットワークＮＨＮアクセスモードのＭｕｌｔｅＦｉｒｅセルであれば、前記端末が、ＮＨＮアクセスモードのＭｕｌｔｅＦｉｒｅセルの前記測定結果のみを前記基地局に送信すること、
または、
前記端末が、該端末の切り替えが許容されるＭｕｌｔｅＦｉｒｅセルの前記測定結果のみを前記基地局に送信することを含む請求項２２に記載の無線通信ネットワーク用の測定方法。
【請求項２５】
端末が、該端末の切り替えが許容されるＭｕｌｔｅＦｉｒｅセルの前記測定結果のみを基地局に送信することは、
アクセス中セルがＰＬＭＮアクセスモードのＭｕｌｔｅＦｉｒｅセルまたはＬＴＥセルであれば、前記端末が、該端末のＲＰＬＭＮまたはＥＰＬＭＮが放送メッセージでのＰＬＭＮ−ＩＤリストに含まれるＭｕｌｔｅＦｉｒｅセルの前記測定結果のみ前記を基地局に送信することと、
アクセス中セルがＮＨＮアクセスモードのＭｕｌｔｅＦｉｒｅセルであれば、前記端末が、アクセス中セルとはＮＨＮ−ＩＤが同一であるＭｕｌｔｅＦｉｒｅセルの前記測定結果のみを基地局に送信することとを含む請求項２４に記載の無線通信ネットワーク用の測定方法。
【請求項２６】
前記測定報告報知指示情報は、指定ＭｕｌｔｅＦｉｒｅセルの前記測定結果を報知するよう前記端末に指示することに用いられる場合、
前記測定報告報知指示情報は、公衆陸上移動体ネットワークＰＬＭＮアクセスモードのＭｕｌｔｅＦｉｒｅネットワークのセルの前記測定結果を基地局に送信するよう端末に指示することに用いられ、
または、
前記測定報告報知指示情報は、ＮＨＮアクセスモードのＭｕｌｔｅＦｉｒｅネットワークのセルの前記測定結果を基地局に送信するように端末に指示することに用いられ、
または、
前記測定報告報知指示情報は、指定ＰＬＭＮ−ＩＤまたは指定ＮＨＮ−ＩＤのＭｕｌｔｅＦｉｒｅネットワークのセルの前記測定結果を報知するよう前記端末に指示することに用いられる請求項２３に記載の無線通信ネットワーク用の測定方法。
【請求項２７】
前記測定報告報知指示情報は、指定ＰＬＭＮ−ＩＤまたは指定ＮＨＮ−ＩＤのＭｕｌｔｅＦｉｒｅセルの前記測定結果を報知するよう前記端末に指示することに用いられる場合、
前記測定報告報知指示情報は、第１ＰＬＭＮ−ＩＤリストを含み、前記測定報告報知指示情報は、前記第１ＰＬＭＮ−ＩＤリストのうちの少なくとも１つのＰＬＭＮ−ＩＤが放送メッセージでのＰＬＭＮ−ＩＤリストに含まれるＭｕｌｔｅＦｉｒｅセルの前記測定結果のみを報知するよう端末に指示することに用いられ、
または、
前記測定報告報知指示情報は、第１ＮＨＮ−ＩＤリストを含み、前記測定報告報知指示情報は、放送メッセージでのＮＨＮ−ＩＤと、前記測定報告報知指示情報でのＮＨＮ−ＩＤリストのうちの１つのＮＨＮ−ＩＤとは同一であるＭｕｌｔｅＦｉｒｅセルの前記測定結果のみを報知するよう端末に指示することに用いられる請求項２６に記載の無線通信ネットワーク用の測定方法。
【請求項２８】
前記測定報告報知指示情報は、指定ＰＬＭＮ−ＩＤまたは指定ＮＨＮ−ＩＤのＭｕｌｔｅＦｉｒｅセルの前記測定結果を報知するよう前記端末に指示することに用いられる場合、
前記測定報告報知指示情報は、切り替えが許容されるＭｕｌｔｅＦｉｒｅセルの前記測定結果のみを報知するよう前記端末に指示することに用いられる請求項２６に記載の無線通信ネットワーク用の測定方法。
【請求項２９】
前記切り替えが許容されるＭｕｌｔｅＦｉｒｅセルは、
放送メッセージでのＰＬＭＮ−ＩＤリストに端末の登録公衆陸上移動体ネットワークＲＰＬＭＮまたは等価な公衆陸上移動体ネットワークＥＰＬＭＮが含まれるＭｕｌｔｅＦｉｒｅセル、または、アクセス中セルとはＮＨＮ−ＩＤが同一であるＭｕｌｔｅＦｉｒｅセルを含む請求項２８に記載の無線通信ネットワーク用の測定方法。
【請求項３０】
前記測定報告報知指示情報は、前記切り替えが許容されるＭｕｌｔｅＦｉｒｅセルの前記測定結果のみを報知するよう前記端末に指示することに用いられる場合、
前記測定報告報知指示情報は、前記測定報告配置情報に含まれるｓｉ−ＲｅｑｕｅｓｔＦｏｒＨＯフィールドであり、
前記ｓｉ−ＲｅｑｕｅｓｔＦｏｒＨＯフィールドは、前記切り替えが許容されるＭｕｌｔｅＦｉｒｅセルの前記測定結果のみを報知するよう前記端末に指示することに用いられる請求項２８または請求項２９に記載の無線通信ネットワーク用の測定方法。
【請求項３１】
基地局で使用される無線通信ネットワーク用の測定装置であって、
測定対象のタイプを区別することに用いられる区別識別子が運ばれる測定対象配置情報を含む測定配置情報を端末に送信することに用いられる送信モジュールと、
前記端末から特定済み測定対象の測定後に送信される測定結果を受信することに用いられる受信モジュールとを備え、
前記特定済み測定対象は、前記端末が前記区別識別子に基づいて特定したものであり、
前記測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含み、
前記区別識別子は、絶対無線周波数チャネル番号である無線通信ネットワーク用の測定装置。
【請求項３２】
測定対象のタイプを区別することに用いられる区別識別子が運ばれる測定対象配置情報を含む測定配置情報を端末に送信することに用いられる送信機と、
前記端末から特定済み測定対象の測定後に送信される測定結果を受信することに用いられる受信機とを備え、
前記特定済み測定対象は、前記端末が前記区別識別子に基づいて特定したものであり、
前記測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含み、
前記区別識別子は、絶対無線周波数チャネル番号である基地局。
【請求項３３】
端末で使用される無線通信ネットワーク用の測定装置であって、
ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む測定対象のタイプを区別することに用いられる区別識別子が運ばれる測定対象配置情報を含む測定配置情報を基地局から受信することに用いられる受信モジュールと、
絶対無線周波数チャネル番号である前記区別識別子に基づいて、前記測定対象を特定することに用いられる特定モジュールと、
特定済みの前記測定対象を測定して測定結果を得ることに用いられる測定モジュールと、
前記測定結果を前記基地局に送信することに用いられる送信モジュールとを備える無線通信ネットワーク用の測定装置。
【請求項３４】
前記特定モジュールは、具体的に、
前記区分識別子が、前記ＬＡＡ周波数点に対応する第１絶対無線周波数チャネル番号であれば、前記ＬＡＡセルを前記測定対象として特定すること、
前記区分識別子が、前記ＭｕｌｔｅＦｉｒｅ周波数点に対応する第２絶対無線周波数チャネル番号であれば、前記ＭｕｌｔｅＦｉｒｅセルを測定対象として特定すること、
前記区分識別子が、前記ＬＴＥ周波数点に対応する第３絶対無線周波数チャネル番号であれば、前記ＬＴＥセルを前記測定対象として特定することに用いられる請求項３３に記載の無線通信ネットワーク用の測定装置。
【請求項３５】
前記ＭｕｌｔｅＦｉｒｅセルを前記測定対象として特定すると、さらに、
前記第２絶対無線周波数チャネル番号または前記測定対象配置情報に運ばれるＭｕｌｔｅＦｉｒｅ周波数帯識別子に基づいて、指定ＭｕｌｔｅＦｉｒｅ周波数帯の指定周波数点のセル、または、指定ＭｕｌｔｅＦｉｒｅ周波数帯の周波数点の全部集合のセル、または、指定ＭｕｌｔｅＦｉｒｅ周波数帯の周波数点の部分集合のセルを前記測定対象として特定する請求項３４に記載の無線通信ネットワーク用の測定装置。
【請求項３６】
前記ＬＡＡ周波数点に対応する第１絶対無線周波数チャネル番号は、前記ＭｕｌｔｅＦｉｒｅの周波数点に対応する第２絶対無線周波数チャネル番号とは異なり、かつ、前記第１絶対無線周波数チャネル番号と前記第２絶対無線周波数チャネル番号とは、同一周波数帯に属し、
前記第１絶対無線周波数チャネル番号は、実際に使用される周波数帯での絶対無線周波数チャネル番号であり、
前記第２絶対無線周波数チャネル番号は、実際に使用されない周波数帯での絶対無線周波数チャネル番号であり、
特定済みの前記測定対象を測定して前記測定結果を得ることは、
第２絶対無線周波数チャネル番号と、実際に使用される周波数帯での絶対無線周波数チャネル番号とのマッピング関係に基づいてＭｕｌｔｅＦｉｒｅの中心周波数点を得、前記ＭｕｌｔｅＦｉｒｅの中心周波数点のセルを測定して測定結果を得ることを含む請求項３５に記載の無線通信ネットワーク用の測定装置。
【請求項３７】
第２絶対無線周波数チャネル番号と、実際に使用される周波数帯での絶対無線周波数チャネル番号とのマッピング関係に基づいてＭｕｌｔｅＦｉｒｅの中心周波数点を得ることは、
ＦＤＬ＝ＦＤＬ＿ｌｏｗ＋０．１（ＮＤＬ−ＮＯｆｆｓ−ＤＬ）（ＦＤＬ＿ｌｏｗ：ダウンリンク動作周波数帯の最小周波値；ＦＤＬ：ダウンリンク動作周波数帯の中心周波数点；ＮＤＬ：前記第２絶対無線周波数チャネル番号に対応し、実際に使用されるダウンリンク周波数帯の絶対無線周波数チャネル番号；ＮＯｆｆｓ−ＤＬ：ダウンリンク動作周波数帯の絶対無線周波数チャネル番号オフセット）によって、ＭｕｌｔｅＦｉｒｅのダウンリンク周波数帯の中心周波数点を得ることと、
ＦＵＬ＝ＦＵＬ＿ｌｏｗ＋０．１（ＮＵＬ−ＮＯｆｆｓ−ＵＬ）（ＦＵＬ＿ｌｏｗ：アップリンク動作周波数帯の最小周波値；ＦＵＬ：アップリンク動作周波数帯の中心周波数点；ＮＵＬ：アップリンク第２絶対無線周波数チャネル番号に対応し、実際に使用されるアップリンク周波数帯の絶対無線周波数チャネル番号；ＮＯｆｆｓ−ＵＬ：アップリンク動作周波数帯の絶対無線周波数チャネル番号オフセット）によって、ＭｕｌｔｅＦｉｒｅのアップリンク周波数帯の中心周波数点を得ることとを含む請求項３６に記載の無線通信ネットワーク用の測定装置。
【請求項３８】
前記第２絶対無線周波数チャネル番号と、実際に使用される周波数帯での前記絶対無線周波数チャネル番号とのマッピング関係に基づいてＭｕｌｔｅＦｉｒｅの中心周波数点を得ることは、
ＦＤＬ＝ＦＤＬ＿ｌｏｗ＋０．１（ＮＤＬ−Ｋ−ＮＯｆｆｓ−ＤＬ）（ＦＤＬ：ダウンリンク動作周波数帯の中心周波数点；ＦＤＬ＿ｌｏｗ：ダウンリンク動作周波数帯の最小周波値；ＮＤＬ：ダウンリンク第２絶対無線周波数チャネル番号に対応し、実際に使用されるダウンリンク周波数帯の絶対無線周波数チャネル番号；ＮＯｆｆｓ−ＤＬ：ダウンリンク動作周波数帯の絶対無線周波数チャネル番号オフセット；Ｋ：前記第２絶対無線周波数チャネル番号と、対応する実際に使用されるチャネル番号との間隔；Ｋ＜２００）によって、ＭｕｌｔｅＦｉｒｅネットワークのダウンリンク周波数帯の中心周波数点を得ることと、
ＦＵＬ＝ＦＵＬ＿ｌｏｗ＋０．１（ＮＵＬ−Ｋ−ＮＯｆｆｓ−ＵＬ）（ＦＵＬ：アップリンク動作周波数帯の中心周波数点；ＦＵＬ＿ｌｏｗ：アップリンク動作周波数帯の最小周波値；ＮＵＬ：アップリンク第２絶対無線周波数チャネル番号に対応し、実際に使用されるアップリンク周波数帯の絶対無線周波数チャネル番号；ＮＯｆｆｓ−ＵＬ：アップリンク動作周波数帯の絶対無線周波数チャネル番号オフセット；Ｋ：前記第２絶対無線周波数チャネル番号と、対応する実際に使用されるチャネル番号との間隔；Ｋ＜２００）によって、ＭｕｌｔｅＦｉｒｅネットワークのアップリンク周波数帯の中心周波数点を得ることとを含む請求項３６に記載の無線通信ネットワーク用の測定装置。
【請求項３９】
前記ＬＡＡ周波数点に対応する前記第１絶対無線周波数チャネル番号は、前記ＭｕｌｔｅＦｉｒｅの周波数点に対応する前記第２絶対無線周波数チャネル番号とは異なり、かつ、前記第１絶対無線周波数チャネル番号と前記第２絶対無線周波数チャネル番号とは、異なる周波数帯に属し、
前記第１絶対無線周波数チャネル番号は、実際に使用される周波数帯での絶対無線周波数チャネル番号であり、
前記第２絶対無線周波数チャネル番号は、現在定義されていない専用周波数帯番号に設定されるチャネル番号であり、
前記専用周波数帯番号には、定義されていない絶対無線周波数チャネル番号が対応付けて設定され、
特定済みの前記測定対象を測定して測定結果を得ることは、
ＦＤＬ＝ＦＤＬ＿ｌｏｗ＋０．１（ＮＤＬ−ＮＯｆｆｓ−ＤＬ）（ＦＤＬ＿ｌｏｗ：ダウンリンク動作周波数帯の最小周波値；ＦＤＬ：ダウンリンク動作周波数帯の中心周波数点；ＮＤＬ：ダウンリンク第２絶対無線周波数チャネル番号；ＮＯｆｆｓ−ＤＬ：ダウンリンク動作周波数帯の絶対無線周波数チャネル番号オフセット）によって、ＭｕｌｔｅＦｉｒｅのダウンリンク周波数帯の中心周波数点を得ることと、
ＦＵＬ＝ＦＵＬ＿ｌｏｗ＋０．１（ＮＵＬ−ＮＯｆｆｓ−ＵＬ）（ＦＵＬ＿ｌｏｗ：アップリンク動作周波数帯の最小周波値；ＦＵＬ：アップリンク動作周波数帯の中心周波数点；ＮＵＬ：アップリンク第２絶対無線周波数チャネル番号；ＮＯｆｆｓ−ＵＬ：アップリンク動作周波数帯の絶対無線周波数チャネル番号オフセット）によって、ＭｕｌｔｅＦｉｒｅのアップリンク周波数帯の中心周波数点を得ることとを含む請求項３５に記載の無線通信ネットワーク用の測定装置。
【請求項４０】
測定対象が、指定ＭｕｌｔｅＦｉｒｅの周波数帯の周波数点の全部集合のセルまたは指定ＭｕｌｔｅＦｉｒｅの周波数帯の周波数点の部分集合のセルであれば、前記測定結果には、測定済みのＭｕｌｔｅＦｉｒｅ周波数点情報を指示する指示フィールドが運ばれる請求項３５に記載の無線通信ネットワーク用の測定装置。
【請求項４１】
前記指示フィールドは、測定結果に追加される絶対無線周波数チャネル番号フィールドまたは測定結果の任意のフィールドである請求項４０に記載の無線通信ネットワーク用の測定装置。
【請求項４２】
前記基地局に測定結果を送信することは、
前記端末が、自主的に、または、前記測定配置情報での測定報告報知指示情報に基づいて、指定ＭｕｌｔｅＦｉｒｅセルの前記測定結果を前記基地局に送信することを含む請求項３３に記載の無線通信ネットワーク用の測定装置。
【請求項４３】
前記端末が、前記測定配置情報での前記測定報告報知指示情報に基づいて、前記指定ＭｕｌｔｅＦｉｒｅセルの前記測定結果を前記基地局に送信することは、
前記端末が、前記測定配置情報の測定報告配置情報に運ばれる前記測定報告報知指示情報、または、前記測定配置情報での測定対象配置情報に運ばれる前記測定報告報知指示情報に基づいて、前記指定ＭｕｌｔｅＦｉｒｅセルの前記測定結果を前記基地局に送信することを含み、
前記測定報告報知指示情報は、前記指定ＭｕｌｔｅＦｉｒｅセルの前記測定結果を報知するよう前記端末に指示することに用いられる請求項４２に記載の無線通信ネットワーク用の測定装置。
【請求項４４】
前記端末が自主的に前記指定ＭｕｌｔｅＦｉｒｅセルの前記測定結果を前記基地局に送信することは、
アクセス中セルがＰＬＭＮアクセスモードのＭｕｌｔｅＦｉｒｅセルまたはＬＴＥセルであれば、端末が、ＰＬＭＮアクセスモードのＭｕｌｔｅＦｉｒｅセルの測定結果のみを前記基地局に送信すること、
または、
アクセス中セルがＮＨＮアクセスモードのＭｕｌｔｅＦｉｒｅセルであれば、前記端末が、ＮＨＮアクセスモードのＭｕｌｔｅＦｉｒｅセルの測定結果のみを前記基地局に送信すること、
または、
前記端末が、該端末の切り替えが許容される前記ＭｕｌｔｅＦｉｒｅセルの前記測定結果のみを前記基地局に送信することを含む請求項４２に記載の無線通信ネットワーク用の測定装置。
【請求項４５】
端末が、該端末の切り替えが許容される前記ＭｕｌｔｅＦｉｒｅセルの前記測定結果のみを前記基地局に送信することは、
アクセス中セルがＰＬＭＮアクセスモードの前記ＭｕｌｔｅＦｉｒｅセルまたは前記ＬＴＥセルであれば、前記端末が、該端末のＲＰＬＭＮまたはＥＰＬＭＮが放送メッセージでのＰＬＭＮ−ＩＤリストに含まれるＭｕｌｔｅＦｉｒｅセルの前記測定結果のみを前記基地局に送信することと、
アクセス中セルがＮＨＮアクセスモードの前記ＭｕｌｔｅＦｉｒｅセルであれば、前記端末が、アクセス中セルとはＮＨＮ−ＩＤが同一である前記ＭｕｌｔｅＦｉｒｅセルの前記測定結果のみを前記基地局に送信することとを含む請求項４４に記載の無線通信ネットワーク用の測定装置。
【請求項４６】
前記測定報告報知指示情報は、前記指定ＭｕｌｔｅＦｉｒｅセルの測定結果を報知するよう前記端末に指示することに用いられる場合、
前記測定報告報知指示情報は、公衆陸上移動体ネットワークＰＬＭＮアクセスモードのＭｕｌｔｅＦｉｒｅネットワークのセルの前記測定結果を前記基地局に送信するよう前記端末に指示することに用いられ、
または、
前記測定報告報知指示情報は、ニュートラルホストネットワークＮＨＮアクセスモードのＭｕｌｔｅＦｉｒｅネットワークのセルの前記測定結果を前記基地局に送信するよう前記端末に指示することに用いられ、
または、
前記測定報告報知指示情報は、指定ＰＬＭＮ−ＩＤまたは指定ＮＨＮ−ＩＤのＭｕｌｔｅＦｉｒｅネットワークのセルの前記測定結果を報知するよう前記端末に指示することに用いられる請求項４３に記載の無線通信ネットワーク用の測定装置。
【請求項４７】
前記測定報告報知指示情報は、指定ＰＬＭＮ−ＩＤまたは指定ＮＨＮ−ＩＤのＭｕｌｔｅＦｉｒｅセルの前記測定結果を報知するよう前記端末に指示することに用いられる場合、
前記測定報告報知指示情報は、第１ＰＬＭＮ−ＩＤリストを含み、前記測定報告報知指示情報は、前記第１ＰＬＭＮ−ＩＤリストのうちの少なくとも１つのＰＬＭＮ−ＩＤが放送メッセージでのＰＬＭＮ−ＩＤリストに含まれるＭｕｌｔｅＦｉｒｅセルの前記測定結果のみを報知するよう前記端末に指示することに用いられ、
または、
前記測定報告報知指示情報は、第１ＮＨＮ−ＩＤリストを含み、前記測定報告報知指示情報は、放送メッセージでのＮＨＮ−ＩＤと、前記測定報告報知指示情報でのＮＨＮ−ＩＤリストのうちの１つのＮＨＮ−ＩＤとは同一である前記ＭｕｌｔｅＦｉｒｅセルの前記測定結果のみを報知するよう前記端末に指示することに用いられる請求項４６に記載の無線通信ネットワーク用の測定装置。
【請求項４８】
前記測定報告報知指示情報は、指定ＰＬＭＮ−ＩＤまたは指定ＮＨＮ−ＩＤの前記ＭｕｌｔｅＦｉｒｅセルの前記測定結果を報知するよう前記端末に指示することに用いられる場合、
前記測定報告報知指示情報は、切り替えが許容されるＭｕｌｔｅＦｉｒｅセルの前記測定結果のみを報知するよう前記端末に指示することに用いられる請求項４６に記載の無線通信ネットワーク用の測定装置。
【請求項４９】
前記切り替えが許容されるＭｕｌｔｅＦｉｒｅセルは、
放送メッセージでのＰＬＭＮ−ＩＤリストに前記端末の登録公衆陸上移動体ネットワークＲＰＬＭＮまたは等価な公衆陸上移動体ネットワークＥＰＬＭＮが含まれるＭｕｌｔｅＦｉｒｅセル、または、アクセス中セルとはＮＨＮ−ＩＤが同一であるＭｕｌｔｅＦｉｒｅセルを含む請求項４８に記載の無線通信ネットワーク用の測定装置。
【請求項５０】
前記測定報告報知指示情報は、前記切り替えが許容されるＭｕｌｔｅＦｉｒｅセルの前記測定結果のみを報知するよう前記端末に指示することに用いられる場合、
前記測定報告報知指示情報は、前記測定報告配置情報に含まれるｓｉ−ＲｅｑｕｅｓｔＦｏｒＨＯフィールドであり、
該ｓｉ−ＲｅｑｕｅｓｔＦｏｒＨＯフィールドは、前記切り替えが許容されるＭｕｌｔｅＦｉｒｅセルの前記測定結果のみを報知するよう前記端末に指示することに用いられる請求項４８または請求項４９に記載の無線通信ネットワーク用の測定装置。
【請求項５１】
ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む測定対象のタイプを区別することに用いられる区別識別子が運ばれる測定対象配置情報を含む測定配置情報を基地局から受信することに用いられる受信機と、
絶対無線周波数チャネル番号である前記区別識別子に基づいて前記測定対象を特定する機能と、特定済みの前記測定対象を測定して測定結果を得る機能とを実現するように構成されるプロセッサと、
前記測定結果を基地局に送信することに用いられる送信機とを備える端末。
【発明の詳細な説明】
【優先権情報】
【０００１】
本願は、２０１６年７月４日に中国特許庁に提出された中国特許出願２０１６１０５１７６９０．７の優先権を主張し、その全ての内容が援用によりここに取り込まれる。
【技術分野】
【０００２】
本発明は、無線通信ネットワーク用の測定分野に係り、特に無線通信ネットワーク用の測定方法、基地局および端末に係る。
【背景技術】
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）標準化機構のＬＡＡ（Ｌｉｃｅｎｓｅｄ  Ａｓｓｉｓｔａｎｔ  Ａｃｃｅｓｓ）技術において、アンライセンスバンドの搬送波は、ＬＴＥ（Ｌｏｎｇ  Ｔｅｒｍ  Ｅｖｏｌｕｔｉｏｎ）標準に符合する物理レイヤ技術を採用する。ＬＡＡと他のアンライセンスバンド機器（例えばＷｉＦｉ機器）がアンライセンスバンドのチャネルを公平に占用することや、アンライセンスバンド機器同士の干渉回避のために、ＬＡＡアンライセンスバンドの搬送波の物理レイヤにおいて、ＷｉＦｉの搬送波モニタリング技術に類似するＬＢＴ（Ｌｉｓｔｅｎ  Ｂｅｆｏｒｅ  Ｔａｌｋ）メカニズムが導入される。基地局または端末は、アンライセンスバンドのチャネルが占用されているとモニタリングし、すなわちＬＢＴが失敗すると、信号送信を停止させるが、チャネルがアイドル状態であるとモニタリングし、すなわちＬＢＴが成功してから、信号を送信する。ＬＡＡ搬送波は、アンライセンスバンドでサービスを受けるユーザ端末から独立に運用できず、キャリアアグリゲーション技術でライセンスバンドの搬送波とＬＡＡ搬送波をアグリゲートしなければならない。ここで、ライセンスバンドの搬送波は、端末にサービングするプライマリセル（ＰＣｅｌｌ）であるが、ＬＡＡ搬送波は、端末にサービングするセカンダリセル（ＳＣｅｌｌ）である。
【０００４】
ＭｕｌｔｅＦｉｒｅ（ＭＦ）も、アンライセンスバンドを利用するＬＴＥに基づく無線アクセス技術である。本技術は、ライセンスバンドの搬送波を介さずにアンライセンススペクトルで独立に運用できるという点でＬＡＡ技術とは異なる。ＭｕｌｔｅＦｉｒｅの物理レイヤにおいて、機器同士の干渉防止のために、同様にＬＢＴメカニズムが導入されている。３ＧＰＰのＬＡＡ技術とＭｕｌｔｅＦｉｒｅのアンライセンスバンドの搬送波は、共にＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のＢａｎｄ４６（５１５０ＭＨｚ〜５９２５ＭＨｚ）の周波数点を動作周波数とする。
【０００５】
ＭｕｌｔｅＦｉｒｅは、ＰＬＭＮ（Ｐｕｂｌｉｃ  Ｌａｎｄ  Ｍｏｂｉｌｅ  Ｎｅｔｗｏｒｋ）アクセスモードとＮＨＮ（Ｎｅｕｔｒａｌ  Ｈｏｓｔ  Ｎｅｔｗｏｒｋ）アクセスモードの２種類のアクセスモードのネットワークアーキテクチャを提供する。ＮＨモードは、ＭｕｌｔｅＦｉｒｅ  ＲＡＮとＭｕｌｔｅＦｉｒｅ  ＣＮ（Ｃｏｒｅ  Ｎｅｔｗｏｒｋ）とをドッキングさせるネットワークモードである。ＭｕｌｔｅＦｉｒｅ  ＣＮは、ＭｕｌｔｅＦｉｒｅに新規に導入されたものであって、統一的に計画されて自己組織化された中立ネットワークであり、３ＧＰＰネットワークとのＲＡＮレベルの切り替えをサポートしない。ＭｕｌｔｅＦｉｒｅ  ＲＡＮでは、ＮＨネットワークＩＤ（ＮＨＮ−ＩＤ）およびＰＳＰ−ＩＤ（Ｐａｒｔｉｃｉｐａｔｉｎｇ  Ｓｅｒｖｉｃｅ  Ｐｒｏｖｉｄｅｒ  Ｉｄｅｎｔｉｔｙ）が放送される。ＥＰＣ（Ｅｎｖｏｌｖｅｄ  Ｐａｃｋｅｔ  Ｃｏｒｅ）接続モードは、ＭｕｌｔｅＦｉｒｅ  ＲＡＮと、関連する３ＧＰＰ  ＣＮとをドッキングさせるネットワークモードである。端末は、ＭｕｌｔｅＦｉｒｅ  ＲＡＮと３ＧＰＰ  ＲＡＮとの間でＳ１またはＸ２切り替えを行い、ＭｕｌｔｅＦｉｒｅ  ＲＡＮでは、ＰＬＭＮ  ＩＤが放送される。以上２種類のアクセスモードのネットワークの間で端末の切り替えがサポートされない。
【０００６】
ＬＴＥのＬＡＡ技術において、端末にサービングするＬＡＡのＳＣｅｌｌを追加または削除するために、ＬＴＥ基地局は、ＲＲＣ（Ｒａｄｉｏ  Ｒｅｓｏｕｒｃｅ  Ｃｏｎｔｒｏｌ）シグナルメッセージでの測定配置によって、ＬＡＡセルの信号品質を測定するよう端末に指示し、端末からＬＡＡチャネル測定後に報告される信号品質に基づいて、端末にサービングするＬＡＡのＳＣｅｌｌを追加または削除するかを特定する。例えば、隣接ＬＡＡセルの信号品質が現在のサービングセルの信号品質より少なくとも指定閾値だけ高いと、基地局は、端末にサービングするＳＣｅｌｌとしてＬＡＡセルを追加する。
【０００７】
現在、３ＧＰＰ標準では、ＬＴＥネットワークから、ＧＥＲＡＮ（ＧＳＭ（登録商標）/ＥＤＧＥ無線アクセスネットワーク）、ＵＴＲＡＮ（ＵＭＴＳ無線アクセスネットワーク）、Ｃｄｍａ２０００、ＵＴＲＡ（ＵＭＴＳ無線アクセス）およびＷＬＡＮを含む他の無線アクセス技術（ＲＡＴ）ネットワークへの端末の切り替えがサポートされる。端末をＬＴＥから他のＲＡＴに切り替えるために、ＬＴＥ基地局は、ＲＲＣシグナルメッセージでの測定配置によって、隣接セルの測定を行うよう端末に指示し、端末からＧＥＲＡＮ、ＵＴＲＡＮ、Ｃｄｍａ２０００、ＵＴＲＡおよびＷＬＡＮチャネル測定後に報告される信号品質に基づいて、対応するＲＡＴセルに端末を切り替えるかを特定する。
【０００８】
基地局は、ＲＲＣシグナルメッセージでの測定配置の測定対象によって、他のＲＡＴまたは他の周波数の中心周波数点（すなわちＥＡＲＦＣＮ（ＥＵＴＲＡＮ  Ａｂｓｏｌｕｔｅ  Ｒａｄｉｏ  Ｆｒｅｑｕｅｎｃｙ  Ｃｈａｎｎｅｌ  Ｎｕｍｂｅｒ））で他のＲＡＴまたは他の周波数セルのチャネル品質を測定するよう端末に通知する。現在、基地局は、Ｂａｎｄ４６でのＥＡＲＦＣＮが運ばれるＥＵＴＲＡＮ測定対象情報ユニットＭｅａｓＯｂｊｅｃｔＥＵＴＲＡによって、ＥＡＲＦＣＮに対応するチャネル周波数点でＬＡＡセルのチャネル品質を測定するよう端末に指示する。
【０００９】
しかし、ＭｕｌｔｅＦｉｒｅアクセス技術が導入されると、ＥＵＴＲＡＮ測定対象情報ユニットＭｅａｓＯｂｊｅｃｔＥＵＴＲＡは、測定対象が、ＬＡＡに対する隣接セル測定であるか、それとも、ＭｕｌｔｅＦｉｒｅに対する隣接セル測定であるかを指示することができない。しかも、ＭｕｌｔｅＦｉｒｅ基地局の動作周波数帯および周波数点が可変であるため、基地局（ＭｕｌｔｅＦｉｒｅ基地局およびＬＴＥ基地局を含む）は、隣接ＭｕｌｔｅＦｉｒｅ基地局の動作周波数点が分からない可能性があるので、ＭｕｌｔｅＦｉｒｅの全体または一部の周波数帯で測定するよう端末に指示する必要がある。しかし、現在のＭｅａｓＯｂｊｅｃｔＥＵＴＲＡは、全体または一部の周波数帯でＭｕｌｔｅＦｉｒｅセルのチャネル品質を測定するよう端末に指示することもできない。
【００１０】
切り替え測定において、基地局がＬＡＡ測定対象とＭｕｌｔｅＦｉｒｅ測定対象を区別可能に指示することや、端末がＭｕｌｔｅＦｉｒｅの全体周波数帯の周波数点のチャネル品質を測定することは、解決される必要のある問題である。
【発明の概要】
【発明が解決しようとする課題】
【００１１】
本発明は、無線通信ネットワーク用の測定方法、基地局および端末を提供する。無線通信ネットワーク用の測定方法、基地局および端末によれば、端末が、例えばＬＡＡやＭｕｌｔｅＦｉｒｅなど測定対象のタイプを区別することができ、ＭｕｌｔｅＦｉｒｅの全体または一部の周波数帯の周波数点のチャネル品質を測定することができるので、ＬＴＥネットワークからＭｕｌｔｅＦｉｒｅネットワークへの端末の切り替えをサポートすることができる。
【課題を解決するための手段】
【００１２】
本発明の一態様として、無線通信ネットワーク用の測定方法を提供する。測定方法において、測定対象のタイプを区別することに用いられる区別識別子が運ばれる測定対象配置情報を含む測定配置情報を端末に送信することと、該端末から特定済み測定対象の測定後に送信される測定結果を受信することとを含み、前記特定済み測定対象は、前記端末が前記区別識別子に基づいて特定したものであり、前記測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含み、前記区別識別子は、絶対無線周波数チャネル番号である。
【００１３】
本発明の他の態様として、無線通信ネットワーク用の測定方法をさらに提供する。測定方法において、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む測定対象のタイプを区別することに用いられる区別識別子が運ばれる測定対象配置情報を含む測定配置情報を基地局から受信することと、絶対無線周波数チャネル番号である前記区別識別子に基づいて前記測定対象を特定することと、特定済みの前記測定対象を測定して測定結果を得ることと、前記測定結果を基地局に送信することとを含む。
【００１４】
本発明の他の態様として、無線通信ネットワーク用の測定装置をさらに提供する。測定装置は、基地局で使用され、測定対象のタイプを区別することに用いられる区別識別子が運ばれる測定対象配置情報を含む測定配置情報を端末に送信することに用いられる送信モジュールと、前記端末から特定済み測定対象の測定後に送信される測定結果を受信することに用いられる受信モジュールとを備え、前記特定済み測定対象は、前記端末が前記区別識別子に基づいて特定したものであり、前記測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含み、前記区別識別子は、絶対無線周波数チャネル番号である。
【００１５】
本発明の他の態様として、基地局をさらに提供する。基地局は、測定対象のタイプを区別することに用いられる区別識別子が運ばれる測定対象配置情報を含む測定配置情報を端末に送信することに用いられる送信機と、前記端末から特定済み測定対象の測定後に送信される測定結果を受信することに用いられる受信機とを備え、前記特定済み測定対象は、前記端末が前記区別識別子に基づいて特定したものである。前記測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含み、前記区別識別子は、絶対無線周波数チャネル番号である。
【００１６】
本発明の他の態様として、無線通信ネットワークの測定装置をさらに提供する。測定装置は、端末で使用され、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む測定対象のタイプを区別することに用いられる区別識別子が運ばれる測定対象配置情報を含む測定配置情報を基地局から受信することに用いられる受信モジュールと、絶対無線周波数チャネル番号である前記区別識別子に基づいて、前記測定対象を特定することに用いられる特定モジュールと、特定済みの前記測定対象を測定して測定結果を得ることに用いられる測定モジュールと、前記測定結果を前記基地局に送信することに用いられる送信モジュールとを備える。
【００１７】
本発明の他の態様として、端末をさらに提供する。端末は、受信機と、プロセッサと、送信機を備え、前記受信機は、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む測定対象のタイプを区別することに用いられる区別識別子が運ばれる測定対象配置情報を含む測定配置情報を基地局から受信することに用いられ、前記プロセッサは、絶対無線周波数チャネル番号である前記区別識別子に基づいて前記測定対象を特定する機能と、特定済みの前記測定対象を測定して測定結果を得る機能とを実現するように構成され、前記送信機は、前記測定結果を基地局に送信することに用いられる。
【発明の効果】
【００１８】
本発明の技術手段によれば、端末が、例えばＬＡＡやＭｕｌｔｅＦｉｒｅなど測定対象のタイプを区別することができ、区別識別子に基づいて特定した測定対象のチャネル品質（すなわち測定結果）を測定することができるので、基地局が、端末から報知される特定済み測定対象のチャネル品質を取得することができ、さらに端末のネットワーク切り替えを実現することができる。
【図面の簡単な説明】
【００１９】
【図１】ＭｕｌｔｅＦｉｒｅのＮＨＮアクセスモードのアーキテクチャを示す。
【図２】ＭｕｌｔｅＦｉｒｅのＮＨＮアクセスモードの別のアーキテクチャを示す。
【図３】ＭｕｌｔｅＦｉｒｅのＰＬＭＮアクセスモードのアーキテクチャを示す。
【図４】本発明の一実施形態の基地局側で実行される無線通信ネットワーク用の測定方法のフローチャートである。
【図５】本発明の一実施形態の基地局側で実行される無線通信ネットワーク用の測定方法のフローチャートである。
【図６】本発明の一実施形態の基地局側で実行される無線通信ネットワーク用の測定方法のフローチャートである。
【図７】本発明の一実施形態の基地局側で実行される無線通信ネットワーク用の測定方法のフローチャートである。
【図８】本発明の一実施形態の基地局側の無線通信ネットワーク用の測定装置の構造ブロック図である。
【図９】本発明の一実施形態の基地局の構造ブロック図である。
【図１０】本発明の一実施形態の端末側で実行される無線通信ネットワーク用の測定方法のフローチャートである。
【図１１】本発明の一実施形態の端末側で実行される無線通信ネットワーク用の測定方法のフローチャートである。
【図１２】本発明の一実施形態の端末側で実行される無線通信ネットワーク用の測定方法のフローチャートである。
【図１３】本発明の一実施形態の端末側の無線通信ネットワーク用の測定装置の構造ブロック図である。
【図１４】本発明の一実施形態の端末の構造ブロック図である。
【発明を実施するための形態】
【００２０】
以下、添付図面を参照して本発明の例示的な実施形態をさらに詳細に記載する。本発明の例示的な実施形態を図面に示しているが、本発明は、ここで説明した実施形態に限定されることなく様々な形態で実現されうることが理解されるべきである。これらの実施形態を示すことは、本発明をより徹底的に理解してもらい、本発明の範囲を当業者に全面的に伝えるためである。
【００２１】
図１は、ＭｕｌｔｅＦｉｒｅのＮＨＮアクセスモードのアーキテクチャを示す。図２は、ＭｕｌｔｅＦｉｒｅのＮＨＮアクセスモードの別のアーキテクチャを示す。図３は、ＭｕｌｔｅＦｉｒｅのＰＬＭＮアクセスモードのアーキテクチャを示す。図１〜図３に示されるように、ＮＨモードは、ＭｕｌｔｅＦｉｒｅ  ＲＡＮとＭｕｌｔｅＦｉｒｅ  ＣＮとをドッキングさせるネットワークモードである。ＭｕｌｔｅＦｉｒｅ  ＣＮは、ＭｕｌｔｅＦｉｒｅに新規に導入されたものであって、統一的に計画されて自己組織化された中立ネットワークであり、３ＧＰＰネットワークとのＲＡＮレベルの切り替えをサポートしない。ＭｕｌｔｅＦｉｒｅ  ＲＡＮでは、ＮＨネットワークＩＤ（ＮＨＮ−ＩＤ）およびＰＳＰ−ＩＤが放送される。ＥＰＣ接続モードは、ＭｕｌｔｅＦｉｒｅ  ＲＡＮと、関連する３ＧＰＰ  ＣＮとをドッキングさせるネットワークモードである。端末は、ＭｕｌｔｅＦｉｒｅ  ＲＡＮと３ＧＰＰ  ＲＡＮとの間でＳ１またはＸ２切り替えを行い、ＭｕｌｔｅＦｉｒｅ  ＲＡＮでは、ＰＬＭＮ  ＩＤが放送される。図３に示されるように、以上２種類のアクセスモードのネットワークの間での端末の切り替えがサポートされない。
【００２２】
ＭｕｌｔｅＦｉｒｅアクセス技術が導入されると、ＥＵＴＲＡＮ測定対象情報ユニットＭｅａｓＯｂｊｅｃｔＥＵＴＲＡは、測定対象が、ＬＡＡに対する隣接セル測定であるか、それとも、ＭｕｌｔｅＦｉｒｅに対する隣接セル測定であるかを指示することができない。しかも、ＭｕｌｔｅＦｉｒｅ基地局の動作周波数帯および周波数点が可変であるため、基地局（ＭｕｌｔｅＦｉｒｅ基地局とＬＴＥ基地局を含む）は、隣接ＭｕｌｔｅＦｉｒｅ基地局の動作周波数点が分からない可能性があるので、ＭｕｌｔｅＦｉｒｅの全体または一部の周波数帯で測定するよう端末に指示する必要がある。しかし、現在のＭｅａｓＯｂｊｅｃｔＥＵＴＲＡは、全体または一部の周波数帯でＭｕｌｔｅＦｉｒｅセルのチャネル品質を測定するよう端末に指示することもできない。
【００２３】
関連技術において、ＭｕｌｔｅＦｉｒｅの公衆陸上移動体ネットワーク（ＰＬＭＮ）アクセスモードネットワークまたはＬＴＥネットワークにおいて、端末の登録公衆陸上移動体ネットワーク（ＲＰＬＭＮ）または等価な公衆陸上移動体ネットワーク（ＥＰＬＭＮ）のＭｕｌｔｅＦｉｒｅセルへの端末の切り替えしか許容されない。ＭｕｌｔｅＦｉｒｅのＮＨＮアクセスモードネットワークにおいて、現在のＮＨネットワーク（すなわち同一ＮＨＮ−ＩＤを有するセル）での端末の切り替えしか許容されない。
【００２４】
ＭｕｌｔｅＦｉｒｅがアンライセンスバンドで動作するため、複数のＭＮＯ（Ｍｏｂｉｌｅ  Ｎｅｔｗｏｒｋ  Ｏｐｅｒａｔｏｒ）のＭｕｌｔｅＦｉｒｅネットワークが同一の動作周波数点を同時に使用する可能性がある。すなわち、１つのアンライセンス周波数点で、複数のＰＬＭＮのＭｕｌｔｅＦｉｒｅセルまたは複数のＮＨネットワークのＭｕｌｔｅＦｉｒｅセルが端末に測定される。
【００２５】
関連技術によれば、端末は、測定報知ルールを満たすＭｕｌｔｅＦｉｒｅセルの測定結果を、チャネル品質の高い順に基地局に送信するが、多数の測定する必要のないＭｕｌｔｅＦｉｒｅセルの測定結果を基地局に送信することや、基地局に必要されるＭｕｌｔｅＦｉｒｅセルの測定結果を基地局に報知できないことがありうる。これによって、アップリンクシグナリングコストが大幅に増加し、システム性能が低下し、測定という目的が達成できない可能性がある。
【００２６】
本発明の一実施形態として、無線通信ネットワーク用の測定方法、基地局および端末を提供する。ＬＡＡ隣接セル測定対象とＭｕｌｔｅＦｉｒｅ隣接セル測定対象を区別可能に指示できないことや、端末がどのようにＭｕｌｔｅＦｉｒｅの全体または一部の周波数帯での周波数点で測定するかの関連技術の問題に対し、本発明の一実施形態によれば、端末が、ＬＡＡの測定対象とＭｕｌｔｅＦｉｒｅの測定対象を区別することができ、ＭｕｌｔｅＦｉｒｅの全体または一部の周波数帯の周波数点のチャネル品質を測定することができるので、ＬＴＥネットワークからＭｕｌｔｅＦｉｒｅネットワークへの端末の切り替えをサポートすることができる。また、ＭｕｌｔｅＦｉｒｅセルの測定プロセスについて、本方法によれば、基地局に必要されるＭｕｌｔｅＦｉｒｅセルの測定結果を端末から基地局に報知することができるため、測定する必要のないＭｕｌｔｅＦｉｒｅセルの測定結果を端末から基地局に送信することが避けられる。よって、アップリンクシグナリングコストを低下させ、システム性能を向上させ、効果的なＭｕｌｔｅＦｉｒｅ隣接セル測定を行うことができる。
【００２７】
図４は、本発明の一実施形態の無線通信ネットワーク用の測定方法を示す。方法は、基地局側で実行され、しかも、下記ステップ４１とステップ４２とを含む。
【００２８】
ステップ４１において、測定対象のタイプを区別することに用いられる区別識別子が運ばれる測定対象配置情報を含む測定配置情報を端末に送信する。
【００２９】
ステップ４２において、端末から特定済み測定対象の測定後に送信される測定結果を受信する。特定済み測定対象は、端末が前記区別識別子に基づいて特定したものである。
【００３０】
本実施形態において、測定配置情報は、測定配置情報を識別するための測定配置情報ＩＤを有する。
【００３１】
測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む。区別識別子は、絶対無線周波数チャネル番号ＥＡＲＦＣＮ（ＥＵＴＲＡＮ  Ａｂｓｏｌｕｔｅ  Ｒａｄｉｏ  Ｆｒｅｑｕｅｎｃｙ  Ｃｈａｎｎｅｌ  Ｎｕｍｂｅｒ）である。
【００３２】
本実施形態において、区別識別子は、測定対象がＬＡＡ周波数点のＬＡＡセル、ＬＴＥ周波数点のＬＴＥセルまたはＭｕｌｔｅＦｉｒｅ周波数点のＭｕｌｔｅＦｉｒｅセルであることを指示する。例えば、第１ＥＡＲＦＣＮは、ＬＡＡの周波数点に用いられるＥＡＲＦＣＮであり、第２ＥＡＲＦＣＮは、ＭｕｌｔｅＦｉｒｅの周波数点に用いられるＥＡＲＦＣＮであり、第３ＥＡＲＦＣＮは、ＬＴＥ周波数点に対応するＥＡＲＦＣＮである。
【００３３】
ＬＴＥ技術において、使用可能な各動作周波数帯Ｂａｎｄでのチャネルは、ＥＡＲＦＣＮで識別され、ＥＡＲＦＣＮの範囲が０〜２６２１４３である。
【００３４】
ＥＵＴＲＡＮは、６８の動作周波数帯を有する。ＥＵＴＲＡＮ動作周波数帯とＥＡＲＦＣＮの対応関係は、下記の表１および表２に示されている。現在の３ＧＰＰのＬＡＡとＭｕｌｔｅＦｉｒｅのセルは、５１５０ＭＨｚ〜５９２５ＭＨｚのＢａｎｄ４６の動作周波数帯を使用し、すなわちアンライセンスバンドＢａｎｄ４６での周波数点を使用する。
【００３５】
【表１】
2019525560.tif 000003
2019525560.tif 000004
【００３６】
【表２】
2019525560.tif 000005
2019525560.tif 000006
【００３７】
ＥＡＲＦＣＮと動作周波数帯Ｂａｎｄでのチャネルの中心周波数点との関係は、以下である。
ＦＤＬ＝ＦＤＬ＿ｌｏｗ＋０．１（ＮＤＬ−ＮＯｆｆｓ−ＤＬ）
ＦＵＬ＝ＦＵＬ＿ｌｏｗ＋０．１（ＮＵＬ−ＮＯｆｆｓ−ＵＬ）
ここで、
ＦＤＬ：ダウンリンク動作周波数帯の中心周波数点；
ＦＤＬ＿ｌｏｗ：ダウンリンク動作周波数帯の最小周波値；
ＮＤＬ：ダウンリンクＥＡＲＦＣＮ；
ＮＯｆｆｓ−ＤＬ：ダウンリンク動作周波数帯のＥＡＲＦＣＮオフセット；
ＦＵＬ：アップリンク動作周波数帯の中心周波数点；
ＦＵＬ＿ｌｏｗ：アップリンク動作周波数帯の最小周波値；
ＮＵＬ：アップリンクＥＡＲＦＣＮ；
ＮＯｆｆｓ−ＵＬ：アップリンク動作周波数帯のＥＡＲＦＣＮオフセット。
【００３８】
本実施形態において、測定対象のタイプを区別することに用いられる区別識別子が運ばれる測定対象配置情報を含む測定配置情報を端末に送信し、端末から特定済み測定対象の測定後に送信される測定結果を受信する。特定済み測定対象は、端末が区別識別子に基づいて特定したものである。よって、端末が、区別識別子に基づいて、例えばＬＡＡのセルか、ＭｕｌｔｅＦｉｒｅのセルであるか、測定対象のタイプを区別することができ、区別識別子に基づいて特定した測定対象のチャネル品質（すなわち測定結果）を測定することができるので、基地局が、端末から報知される特定済み測定対象のチャネル品質を取得することができ、さらに端末のネットワーク切り替えを実現することができる。
【００３９】
図５は、本発明の一実施形態に係る無線通信ネットワーク用の測定方法を示す。方法は、基地局側で実行され、しかも、下記ステップ５１とステップ５２とを含む。
【００４０】
ステップ５１において、測定対象のタイプを区別することに用いられる区別識別子が運ばれる測定対象配置情報を含む測定配置情報を端末に送信する。区別識別子は、ＭｕｌｔｅＦｉｒｅネットワークのセルの第２ＥＡＲＦＣＮであり、測定対象のタイプは、ＭｕｌｔｅＦｉｒｅネットワークのセルである。
【００４１】
区別識別子は、さらに、ＭｕｌｔｅＦｉｒｅネットワークの指定周波数帯の指定周波数点を測定すること、または、指定ＭｕｌｔｅＦｉｒｅネットワークの周波数帯の周波数点の全体集合を測定すること、または、指定ＭｕｌｔｅＦｉｒｅネットワークの周波数帯の周波数点の部分集合を測定することを指示することに用いられる。または、測定対象配置情報には、指定ＭｕｌｔｅＦｉｒｅネットワークの周波数帯の周波数点の全体集合を測定すること、または、指定ＭｕｌｔｅＦｉｒｅネットワークの周波数帯の周波数点の部分集合を測定することを指示することに用いられるＭｕｌｔｅＦｉｒｅ周波数帯指示フィールドも運ばれる。
【００４２】
ステップ５２において、端末から特定済み測定対象の測定後に送信される測定結果を受信する。特定済み測定対象は、端末が区別識別子に基づいて特定したものである。
【００４３】
本発明の一実施形態は、ＭｕｌｔｅＦｉｒｅ周波数点のＭｕｌｔｅＦｉｒｅセルの測定を行うよう端末に指示することができ、さらに、ＭｕｌｔｅＦｉｒｅ周波数点の全部集合、部分集合または単一周波数点の測定を行うよう指示することができることによって、システム性能を向上させ、効果的なＭｕｌｔｅＦｉｒｅ隣接セル測定を行うことができる。
【００４４】
図６は、本発明の一実施形態に係る無線通信ネットワーク用の測定方法を示す。本方法は、基地局側で実行され、しかも、下記ステップ６１とステップ６２とを含む。
【００４５】
ステップ６１において、測定対象のタイプを区別することに用いられる区別識別子が運ばれる測定対象配置情報を含む測定配置情報を端末に送信する。
【００４６】
測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む。区別識別子は、ＥＡＲＦＣＮであり、ＬＡＡの周波数点が第１ＥＡＲＦＣＮに対応し、ＭｕｌｔｅＦｉｒｅの周波数点が第２ＥＡＲＦＣＮに対応し、ＬＴＥの周波数点が第３ＥＡＲＦＣＮに対応するように区別する。
【００４７】
具体的に、ＭｕｌｔｅＦｉｒｅネットワークとＬＡＡネットワークを区別するために、ＭｕｌｔｅＦｉｒｅとＬＡＡに異なるＥＡＲＦＣＮの範囲が使用されると設定する必要がある。ＭｕｌｔｅＦｉｒｅの第２ＥＡＲＦＣＮ設定方式は、２種類ある。
【００４８】
方式１：ＬＡＡ周波数点に対応する第１ＥＡＲＦＣＮとＭｕｌｔｅＦｉｒｅの周波数点に対応する第２ＥＡＲＦＣＮとは同一周波数帯を使用し、ＬＡＡ周波数点に対応する第１ＥＡＲＦＣＮとＭｕｌｔｅＦｉｒｅの周波数点に対応する第２ＥＡＲＦＣＮとは異なり、しかも、第１ＥＡＲＦＣＮと前記第２ＥＡＲＦＣＮとは同一周波数帯を使用し、第１ＥＡＲＦＣＮは、実際に使用される周波数帯でのＥＡＲＦＣＮであり、第２ＥＡＲＦＣＮは、実際に使用されない周波数帯でのＥＡＲＦＣＮである。
【００４９】
方式２：ＬＡＡ周波数点に対応する第１ＥＡＲＦＣＮとＭｕｌｔｅＦｉｒｅの周波数点に対応する第２ＥＡＲＦＣＮとは異なり、しかも、第１ＥＡＲＦＣＮと第２ＥＡＲＦＣＮとは異なる周波数帯に属する。さらに、第１ＥＡＲＦＣＮは、実際に使用される周波数帯でのＥＡＲＦＣＮであり、第２ＥＡＲＦＣＮは、現在定義されていない専用周波数帯番号に設定されるチャネル番号であり、専用周波数帯番号には、定義されていないＥＡＲＦＣＮが対応付けて設定されている。
【００５０】
ステップ６２において、端末から特定済み測定対象の測定後に送信される測定結果を受信する。特定済み測定対象は、端末が前記区別識別子に基づいて特定したものである。
【００５１】
方式１において、ＭｕｌｔｅＦｉｒｅのＥＡＲＦＣＮとＬＡＡのＥＡＲＦＣＮは、同一の周波数帯番号に属する。ＭｕｌｔｅＦｉｒｅのＥＡＲＦＣＮとＬＡＡのＥＡＲＦＣＮは、同一のアンライセンスバンドの異なるＥＡＲＦＣＮ値を使用する。
【００５２】
ＥＵＴＲＡＮのアンライセンスバンド（例えばＢａｎｄ４６）での実際に使用可能な周波数点の間隔が２０ＭＨｚであるが、現在定義されている各周波数点の間隔が１００ＫＨｚであるため、アンライセンスバンドでの定義されるＥＡＲＦＣＮは、実際に使用されるＥＡＲＦＣＮより遥かに多い。
【００５３】
ＬＡＡは、実際に使用可能なＥＡＲＦＣＮを占用する。ＬＡＡとＭｕｌｔｅＦｉｒｅとを区別するために、ＭｕｌｔｅＦｉｒｅが実際に使用されないＥＡＲＦＣＮを占用すると設定してもよい。一部のＭｕｌｔｅＦｉｒｅネットワークのＥＡＲＦＣＮは、ＭｕｌｔｅＦｉｒｅの周波数帯の周波数点の全部集合または周波数点の部分集合を示してもよい。
【００５４】
実際に使用されるＥＡＲＦＣＮとアンライセンスバンドでの中心周波数点の関係は、以下の式を満たす。ユーザ端末（端末）は、ＥＡＲＦＣＮに基づいて、測定対象の中心周波数点を計算する。
ＦＤＬ＝ＦＤＬ＿ｌｏｗ＋０．１（ＮＤＬ−ＮＯｆｆｓ−ＤＬ）
ＦＵＬ＝ＦＵＬ＿ｌｏｗ＋０．１（ＮＵＬ−ＮＯｆｆｓ−ＵＬ）
ここで、
ＦＤＬ＿ｌｏｗ：ダウンリンク動作周波数帯の最小周波値；
ＦＤＬ：ダウンリンク動作周波数帯の中心周波数点；
ＮＤＬ：ダウンリンクＥＡＲＦＣＮ；
ＮＯｆｆｓ−ＤＬ：ダウンリンク動作周波数帯のＥＡＲＦＣＮオフセット；
ＦＵＬ＿ｌｏｗ：アップリンク動作周波数帯の最小周波値；
ＦＵＬ：アップリンク動作周波数帯の中心周波数点；
ＮＵＬ：アップリンクＥＡＲＦＣＮ；
ＮＯｆｆｓ−ＵＬ：アップリンク動作周波数帯のＥＡＲＦＣＮ。
【００５５】
ＭｕｌｔｅＦｉｒｅが未使用のＥＡＲＦＣＮを占用するため、各ＭｕｌｔｅＦｉｒｅ周波数帯でＭｕｌｔｅＦｉｒｅのＥＡＲＦＣＮと実際に使用されるＥＡＲＦＣＮ（すなわち参照ＥＡＲＦＣＮ）とのマッピング関係を設定する必要がある。
【００５６】
端末は、基地局から送信される測定配置を受信すると、その中のＥＡＲＦＣＮからＭｕｌｔｅＦｉｒｅのＥＡＲＦＣＮであると判断し、ＭｕｌｔｅＦｉｒｅのＥＡＲＦＣＮと実際に使用されるＥＡＲＦＣＮとのマッピング関係に基づいて、測定配置でのＭｕｌｔｅＦｉｒｅ  ＥＡＲＦＣＮを、対応する参照ＥＡＲＦＣＮに変換し、参照ＥＡＲＦＣＮと中心周波数点の計算式から、測定対象の中心周波数点を計算する。
【００５７】
変形例において、ＭｕｌｔｅＦｉｒｅ  ＥＡＲＦＣＮと参照ＥＡＲＦＣＮとの対応関係を設定してもよい。
【００５８】
Ｂａｎｄ４６を一例とし、表３のように、ＭｕｌｔｅＦｉｒｅ（ＭＦ）  ＥＡＲＦＣＮと参照ＥＡＲＦＣＮとの対応関係を設定する。
【００５９】
ここで、ＭＦ−ＥＡＲＦＣＮ−１〜ＭＦ−ＥＡＲＦＣＮ−３９は、ＭｕｌｔｅＦｉｒｅに占用されるＢａｎｄ４６の３９個のＥＡＲＦＣＮであり、ＭＦ−ＧＲＯＵＰ−ＥＡＲＦＣＮ−０は、Ｂａｎｄ４６のすべてのＭｕｌｔｅＦｉｒｅ  ＥＡＲＦＣＮの集合であり、ＭＦ−ＧＲＯＵＰ−ＥＡＲＦＣＮ−１〜ＭＦ−ＧＲＯＵＰ−ＥＡＲＦＣＮ−４は、それぞれＢａｎｄ４６の４つのＭＦ  ＥＡＲＦＣＮの部分集合であり、ｎ１〜ｎ４は、順に大きくなる所定値であり、範囲が０〜３９である。
【００６０】
端末は、基地局から送信される測定配置を受信すると、その中のＥＡＲＦＣＮからＭＦ  ＥＡＲＦＣＮであると判断し、ＭＦ  ＥＡＲＦＣＮと参照ＥＡＲＦＣＮとの対応関係に基づいて、測定配置でのＭＦ  ＥＡＲＦＣＮを、対応する参照ＥＡＲＦＣＮに変換し、参照ＥＡＲＦＣＮに基づいて、測定対象の中心周波数点を計算する。
【００６１】
【表３】
2019525560.tif 000007
【００６２】
変形例として、各ＭｕｌｔｅＦｉｒｅのＥＡＲＦＣＮと、対応する参照ＥＡＲＦＣＮ（すなわち実際に使用されるＥＡＲＦＣＮ）との間隔Ｋ（Ｋ＜２００）を設定してもよい。
【００６３】
変形例として、周波数点が微調整できるので、参照ＥＡＲＦＣＮは、２つのＥＡＲＦＣＮで微調整する。Ｋ＜１９８。
【００６４】
端末は、基地局から送信される測定配置を受信すると、その中のＥＡＲＦＣＮからＭｕｌｔｅＦｉｒｅのＥＡＲＦＣＮであると判断し、ＭｕｌｔｅＦｉｒｅのＥＡＲＦＣＮに対応する参照ＥＡＲＦＣＮが（Ｎ−Ｋ）であると算出し、測定配置でのＭＦ  ＥＡＲＦＣＮを、対応する参照ＥＡＲＦＣＮに変換し、参照ＥＡＲＦＣＮと中心周波数点の計算式から、測定対象の中心周波数点を計算する。ここでＮは、ＭＦ  ＥＡＲＦＣＮである。
【００６５】
ＭＦ  ＥＡＲＦＣＮとＭｕｌｔｅＦｉｒｅ周波数帯での中心周波数点の関係は、下記式を満たす。
ＦＤＬ＝ＦＤＬ＿ｌｏｗ＋０．１（ＮＤＬ−Ｋ−ＮＯｆｆｓ−ＤＬ）
ＦＵＬ＝ＦＵＬ＿ｌｏｗ＋０．１（ＮＵＬ−Ｋ−ＮＯｆｆｓ−ＵＬ）
ここで、
ＦＤＬ：ダウンリンク動作周波数帯の中心周波数点；
ＦＤＬ＿ｌｏｗ：ダウンリンク動作周波数帯の最小周波値；
ＮＤＬ：ダウンリンクＥＡＲＦＣＮ；
ＮＯｆｆｓ−ＤＬ：ダウンリンク動作周波数帯のＥＡＲＦＣＮオフセット；
ＦＵＬ：アップリンク動作周波数帯の中心周波数点；
ＦＵＬ＿ｌｏｗ：アップリンク動作周波数帯の最小周波値；
ＮＵＬ：アップリンクＥＡＲＦＣＮ；
ＮＯｆｆｓ−ＵＬ：アップリンク動作周波数帯のＥＡＲＦＣＮオフセット；
Ｋ：ＥＡＲＦＣＮと、対応する参照ＥＡＲＦＣＮとの間隔。
【００６６】
本実施形態において、別途、実際に使用されないＥＡＲＦＣＮによって、アンライセンスバンドの周波数点の全部集合または周波数点の部分集合を示してもよい。
【００６７】
上記方式２において、ＭｕｌｔｅＦｉｒｅとＬＡＡは、それぞれ異なる周波数帯番号に属する。具体的には、ＭｕｌｔｅＦｉｒｅに対し専用周波数帯番号を設定し、ＭｕｌｔｅＦｉｒｅに使用される各アンライセンスバンドに対し、専用の周波数帯番号を設定する。ＭｕｌｔｅＦｉｒｅは、現在定義されていないＥＵＴＲＡＮ  Ｂａｎｄ番号（Ｂａｎｄ４７−Ｂａｎｄ６３またはＢａｎｄ６９−Ｂａｎｄ２５５）を使用する。同時に、ＭｕｌｔｅＦｉｒｅの各周波数帯番号でのＥＡＲＦＣＮを設定し、ＭＦ  ＥＡＲＦＣＮは、現在定義されていないＥＡＲＦＣＮ（５４５４０−６５５３５または６７８３６−２６２１４３）を使用する。
【００６８】
また、現在定義されていないＥＡＲＦＣＮによって、ＭｕｌｔｅＦｉｒｅ周波数帯のＥＡＲＦＣＮの全部集合または部分集合を示してもよい。
【００６９】
例えば、Ｂａｎｄ４６に対応するＭｕｌｔｅＦｉｒｅ専用周波数帯をＢａｎｄ２５５と設定する。表４に示されるように、ＬＡＡはＢａｎｄ４６を使用し、ＭｕｌｔｅＦｉｒｅは、Ｂａｎｄ２５５を使用する。両者の周波数範囲は、ともに５１５０ＭＨｚ〜５９２５ＭＨｚであり、単に周波数帯番号が異なる。
【００７０】
表５に示されるように、Ｂａｎｄ２５５のＥＡＲＦＣＮの範囲は、２５４３８１〜２６２１３５である。２５４３８１〜２６２１３０は、単一ＥＡＲＦＣＮであり、２６２１３１は、Ｂａｎｄ２５５のＥＡＲＦＣＮの全部集合を示す。表６に示されるように、２６２１３２〜２６２１３５は、それぞれ、Ｂａｎｄ２５５のＥＡＲＦＣＮの部分集合を示す。または、表７に示されるように、２６２１３２〜２６２１３５は、それぞれＢａｎｄ２５５の部分周波数帯を示す。
【００７１】
ＭＦ  ＥＡＲＦＣＮとアンライセンスバンドでの中心周波数点の関係は、関連するＥＡＲＦＣＮと中心周波数点の関係式を満たす。
ＦＤＬ＝ＦＤＬ＿ｌｏｗ＋０．１（ＮＤＬ−ＮＯｆｆｓ−ＤＬ）
ＦＵＬ＝ＦＵＬ＿ｌｏｗ＋０．１（ＮＵＬ−ＮＯｆｆｓ−ＵＬ）
ここで、
ＦＤＬ＿ｌｏｗ：ダウンリンク動作周波数帯の最小周波値；
ＦＤＬ：ダウンリンク動作周波数帯の中心周波数点；
ＮＤＬ：ダウンリンクＭＦ  ＥＡＲＦＣＮ；
ＮＯｆｆｓ−ＤＬ：ダウンリンク動作周波数帯のＥＡＲＦＣＮオフセット；
ＦＵＬ＿ｌｏｗ：アップリンク動作周波数帯の最小周波値；
ＦＵＬ：アップリンク動作周波数帯の中心周波数点；
ＮＵＬ：アップリンクＭＦ  ＥＡＲＦＣＮ；
ＮＯｆｆｓ−ＵＬ：アップリンク動作周波数帯のＥＡＲＦＣＮオフセット。
【００７２】
本方式において、ＭｕｌｔｅＦｉｒｅとＬＡＡとは、周波数帯番号が異なるものがあるため、異なるＥＡＲＦＣＮを占用する。
【００７３】
【表４】
2019525560.tif 000008
2019525560.tif 000009
【００７４】
【表５】
2019525560.tif 000010
2019525560.tif 000011
【００７５】
【表６】
2019525560.tif 000012
【００７６】
【表７】
2019525560.tif 000013
【００７７】
本実施形態は、ＬＡＡ周波数点のＬＡセルとＭｕｌｔｅＦｉｒｅ周波数点のＭｕｌｔｅＦｉｒｅセルを区別識別子によって区別することができ、ＭｕｌｔｅＦｉｒｅ周波数帯の周波数点の全部集合またはＭｕｌｔｅＦｉｒｅ周波数帯の周波数点の部分集合での測定を指示することもできることによって、端末が、ＬＡＡネットワークのセルまたはＭｕｌｔｅＦｉｒｅネットワークのセルに対し測定を行い、測定結果を基地局に報知することができる。
【００７８】
図７は、本発明の一実施形態に係る無線通信ネットワーク用の測定方法を示す。本方法は、基地局側で実行され、しかも、下記ステップ７１とステップ７２とを含む。
【００７９】
ステップ７１において、測定対象のタイプを区別することに用いられる区別識別子が運ばれる測定対象配置情報を含む測定配置情報を端末に送信する。
【００８０】
測定配置情報には、測定報告配置情報がさらに含まれる。測定報告配置情報には、測定報告報知指示情報が運ばれ、または、測定配置情報の測定対象配置情報には、測定報告報知指示情報が運ばれる。
【００８１】
測定報告報知指示情報は、指定ＭｕｌｔｅＦｉｒｅセルの測定結果を報知するよう端末に指示することに用いられる。
【００８２】
ステップ７２において、端末から特定済み測定対象の測定後に送信される測定結果を受信する。特定済み測定対象は、端末が前記区別識別子に基づいて特定したものである。
【００８３】
本実施形態において、測定報告報知指示情報は、公衆陸上移動体ネットワークＰＬＭＮアクセスモードのＭｕｌｔｅＦｉｒｅセルの測定結果のみ、またはＮＨＮアクセスモードのＭｕｌｔｅＦｉｒｅセルの測定結果のみを報知するよう端末に指示することに用いられる。または、測定報告報知指示情報は、指定公衆陸上移動体ネットワークＰＬＭＮ−ＩＤまたは指定ＮＨＮ−ＩＤのＭｕｌｔｅＦｉｒｅセルの測定結果のみを報知するよう端末に指示することに用いられる。
【００８４】
さらに、測定報告報知指示情報は、指定ＰＬＭＮ−ＩＤまたは指定ＮＨＮ−ＩＤのＭｕｌｔｅＦｉｒｅセルの測定結果のみを報知するよう端末に指示することに用いられる。測定報告報知指示情報は、第１ＰＬＭＮ−ＩＤリストを含む。測定報告報知指示情報は、第１ＰＬＭＮ−ＩＤリストのうちの少なくとも１つのＰＬＭＮ−ＩＤが放送メッセージでのＰＬＭＮ−ＩＤリストに含まれるＭｕｌｔｅＦｉｒｅセルの測定結果のみを報知するよう端末に指示することに用いられる。または、測定報告報知指示情報は、第１ＮＨＮ−ＩＤリストを含む。測定報告報知指示情報は、測定報告報知指示情報でのＮＨＮ−ＩＤリストのうちの１つのＮＨＮ−ＩＤと放送メッセージでのＮＨＮ−ＩＤとは同一であるＭｕｌｔｅＦｉｒｅセルの測定結果のみを報知するよう端末に指示することに用いられる。
【００８５】
さらに、測定報告報知指示情報は、指定ＰＬＭＮ−ＩＤまたは指定ＮＨＮ−ＩＤのＭｕｌｔｅＦｉｒｅセルの測定結果のみを報知するよう端末に指示することに用いられる。測定報告報知指示情報は、切り替えが許容されるＭｕｌｔｅＦｉｒｅセルの測定結果のみを報知するよう端末に指示することに用いられる。
【００８６】
切り替えが許容されるＭｕｌｔｅＦｉｒｅセルは、端末の登録公衆陸上移動体ネットワークＲＰＬＭＮまたは等価な公衆陸上移動体ネットワークＥＰＬＭＮが放送メッセージでのＰＬＭＮ−ＩＤリストに含まれるＭｕｌｔｅＦｉｒｅセル、または、アクセス中セルとはＮＨＮ−ＩＤが同一であるＭｕｌｔｅＦｉｒｅセルを含む。
【００８７】
さらに、測定報告報知指示情報は、切り替えが許容されるＭｕｌｔｅＦｉｒｅセルの測定結果のみを報知するよう端末に指示することに用いられる。測定報告報知指示情報は、測定報告配置情報に含まれるｓｉ−ＲｅｑｕｅｓｔＦｏｒＨＯフィールドである。ｓｉ−ＲｅｑｕｅｓｔＦｏｒＨＯフィールドは、切り替えが許容されるＭｕｌｔｅＦｉｒｅセルの測定結果のみを報知するよう端末に指示することに用いられる。
【００８８】
端末は、測定結果を報知する際に、基地局から送信された測定配置情報を受信したのであれば、測定配置での測定対象配置情報でのＥＡＲＦＣＮフィールドを取得する。端末は、ＥＡＲＦＣＮフィールドによって、測定対象がＬＡＡセルであるか、ＬＴＥセルであるか、ＭｕｌｔｅＦｉｒｅセルであるかを区別することができる。
【００８９】
測定対象がＭｕｌｔｅＦｉｒｅセルであれば、端末は、ＥＡＲＦＣＮ、または、測定対象配置情報に含まれるＭｕｌｔｅＦｉｒｅ周波数帯指示フィールドに基づいて、測定対象が、指定ＭｕｌｔｅＦｉｒｅ周波数帯の周波数点の全部集合のセルであるか、指定ＭｕｌｔｅＦｉｒｅ周波数帯の周波数点の部分集合のセルであるかが分かる。
【００９０】
ＭｕｌｔｅＦｉｒｅのＥＡＲＦＣＮとＭｕｌｔｅＦｉｒｅ周波数帯指示は、システムによってあらかじめ設定される。基地局と端末は、ＭｕｌｔｅＦｉｒｅのＥＡＲＦＣＮとＭｕｌｔｅＦｉｒｅ周波数帯指示を識別することができる。
【００９１】
端末は、ＥＡＲＦＣＮフィールドによって、測定対象がＭｕｌｔｅＦｉｒｅの周波数点の全部集合であるか、周波数点の部分集合であるか、単一周波数点であるかが分かる。
【００９２】
端末は、ＭｕｌｔｅＦｉｒｅの周波数点でチャネル品質測定を行った後に、測定結果が測定配置情報に含まれる測定報告配置情報に指示される測定報告ルールを満たすのであれば、測定結果メッセージ（ＭｅａｓＲｅｓｕｌｔｓ）でのＥＵＴＲＡＮの測定結果報告ＩＥ（ＭｅａｓＲｅｓｕｌｔＥＵＴＲＡ）を用いて、ＭｕｌｔｅＦｉｒｅのチャネル品質測定結果を基地局に送信する。チャネル品質測定結果は、セルのＲＳＲＰ（参照信号受信電力）、ＲＳＲＱ（参照信号受信品質）および／またはＣＧＩ（セルグローバル識別子）などの情報が含まれる。セルのＣＧＩ情報は、ＥＣＧＩ（ＥＵＴＲＡＮ  ＣＧＩ）とＴＡＣ（トラッキングエリアコード）を含み、さらにＰＬＭＮ情報とＮＨＮ−ＩＤとを含む可能性もある。
【００９３】
測定結果メッセージでの測定識別子（ｍｅａｓＩＤ）は、上記ＭｕｌｔｅＦｉｒｅ測定配置情報に含まれる測定識別子（ｍｅａｓＩＤ）に対応し、両者が同一であってもよい。各ＭｅａｓＲｅｓｕｌｔＥＵＴＲＡに１つのセルの測定結果が含まれ、１つの測定結果メッセージには、最多で８セルの測定結果が含まれる。
【００９４】
基地局が単一周波数点のみの測定ではなく、すべてのＭｕｌｔｅＦｉｒｅ周波数帯またはＭｕｌｔｅＦｉｒｅの部分周波数帯の測定を１つのＭｕｌｔｅＦｉｒｅ測定配置情報で指示するのであれば、端末は、測定結果を送信する際に、測定結果メッセージで、測定済みのＭｕｌｔｅＦｉｒｅ周波数点情報を指示し、または、測定結果メッセージの各セルの測定結果ＩＥ（ＭｅａｓＲｅｓｕｌｔＥＵＴＲＡ）で、測定済みのＭｕｌｔｅＦｉｒｅセルの周波数点を指示する（例えばＭｅａｓＲｅｓｕｌｔＥＵＴＲＡでＥＡＲＦＣＮフィールドを追加する）必要がある。よって、基地局は、測定結果に対応する周波数点が分かる。基地局が１つのＭｕｌｔｅＦｉｒｅ測定配置で単一周波数点を測定すると指示するのであれば、端末は、測定済みのＭｕｌｔｅＦｉｒｅセルのＥＡＲＦＣＮを測定結果メッセージで指示する必要がない。
【００９５】
端末は、２種類の方式によって、測定される周波数帯の周波数点情報を測定結果メッセージで指示する。
方式１：測定結果ＩＥ（ＭｅａｓＲｅｓｕｌｔＥＵＴＲＡ）でＥＡＲＦＣＮフィールドを追加する。
方式２：測定結果ＩＥ（ＭｅａｓＲｅｓｕｌｔＥＵＴＲＡ）での他のフィールドで周波数点情報を運ぶ。
【００９６】
例えば、端末は、測定結果ＩＥでのＭｅａｓＩＤに占用されるフィールドの長さを増やし、ＭｅａｓＩＤで周波数点情報を運ぶ。すなわち、ＭｅａｓＩＤフィールドには、同時に測定識別子情報と測定周波数点情報とが含まれる。
【００９７】
ここで、測定周波数点情報は、ＥＡＲＦＣＮであってもよく、測定される周波数帯における周波数点のインデックス値であってもよい。
【００９８】
基地局は、指定のすべてのＭｕｌｔｅＦｉｒｅ周波数帯またはＭｕｌｔｅＦｉｒｅの部分周波数帯の周波数点でＭｕｌｔｅＦｉｒｅセルのチャネル品質を測定するよう端末に指示するのであれば、測定結果での周波数点情報によって、測定結果に対応する周波数点を取得する。
【００９９】
基地局は、測定対象配置情報でのＥＡＲＦＣＮまたはＭｕｌｔｅＦｉｒｅ周波数帯指示フィールドによって、指定のすべてのＭｕｌｔｅＦｉｒｅ周波数帯またはＭｕｌｔｅＦｉｒｅの部分周波数帯の周波数点でＭｕｌｔｅＦｉｒｅセルのチャネル品質を測定するよう端末に指示するのであれば、測定結果での周波数点情報によって、測定結果に対応する周波数点を取得し、端末の異なる周波数点での測定結果によって、端末をＬＴＥネットワークから指定周波数点のＭｕｌｔｅＦｉｒｅセルに切り替えることができる。
【０１００】
一方、端末は、基地局から送信された測定配置情報を受信する場合、測定配置情報での測定対象配置情報でのＥＡＲＦＣＮフィールドを取得する。端末は、ＥＡＲＦＣＮフィールドによって、測定対象がＬＡＡセルであるか、ＬＴＥセルであるか、ＭｕｌｔｅＦｉｒｅセルであるかを区別することができる。
【０１０１】
さらに、端末は、ＥＡＲＦＣＮ、または、ＭｕｌｔｅＦｉｒｅ周波数帯指示フィールドによって、測定対象がすべてのＭｕｌｔｅＦｉｒｅ周波数帯であるかＭｕｌｔｅＦｉｒｅの部分周波数帯であるかが分かる。ＭｕｌｔｅＦｉｒｅのＥＡＲＦＣＮとＭｕｌｔｅＦｉｒｅ周波数帯指示は、システムによってあらかじめ設定される。基地局と端末は、ＭｕｌｔｅＦｉｒｅのＥＡＲＦＣＮとＭｕｌｔｅＦｉｒｅ周波数帯指示を識別することができる。
【０１０２】
端末は、上記ＭｕｌｔｅＦｉｒｅ測定対象セルに対する測定結果が測定配置に含まれる測定報告配置ＩＥに指示される測定報告条件を満たすのであれば、自主的に、または、基地局の測定報告報知指示に基づいて、ＭｕｌｔｅＦｉｒｅセルの測定結果を選択して基地局に送信する。
【０１０３】
３ＧＰＰネットワークにおいて、測定報告配置ＩＥでの配置される測定報告のタイプは、イベントトリガー測定報告、周期的測定報告およびＣＧＩ測定報告を含む。
【０１０４】
イベントトリガー測定報告は、切り替えるために設定される。端末は、ＭｕｌｔｅＦｉｒｅ隣接セルに対する測定結果が測定報告配置ＩＥで指示されるイベントトリガー測定報告のトリガー条件を満たすと、ＭｕｌｔｅＦｉｒｅ隣接セルの測定結果を信号品質の高い順に基地局に報告する。ＥＵＴＲＡＮ測定イベントは、Ａ１〜Ａ６、Ｂ１、Ｂ２、Ｃ１、Ｃ２を含む。
【０１０５】
周期的測定報告は、ネットワーク最適化のために設定され、例えばＡＮＲ（Ａｕｔｏｍａｔｉｃ  Ｎｅｉｇｈｂｏｕｒ  Ｒｅｌａｔｉｏｎｓｈｉｐ）機能のために設定される。端末は、最大信号品質の隣接セルの測定結果を周期的に報知する。端末は、測定結果を信号品質の高い順に基地局に報告する。
【０１０６】
ＣＧＩ測定報告は、ＰＣＩ（物理セル識別子）混同問題を解決することや、ＡＮＲを行うために設定される。端末は、基地局に指定される隣接セル放送メッセージでのＣＧＩ（ＥＣＧＩ、ＴＡＣなどの情報を含む）を読み取ると、セルのＣＧＩ情報を基地局に報告する。
【０１０７】
現在、ＭｕｌｔｅＦｉｒｅのＰＬＭＮアクセスモードネットワークまたはＬＴＥネットワークにおいて、ＮＨＮアクセスモードのＭｕｌｔｅＦｉｒｅネットワークとの隣接セル関係を確立することが許容されず、端末を端末のＲＰＬＭＮまたはＥＰＬＭＮのＭｕｌｔｅＦｉｒｅセルに切り替えることしか許容されない。ＭｕｌｔｅＦｉｒｅのＮＨＮアクセスモードネットワークにおいて、ＰＬＭＮアクセスモードのＭｕｌｔｅＦｉｒｅネットワークとの隣接セル関係を確立することが許容されず、端末が現在のＮＨネットワーク（すなわち同一ＮＨＮ−ＩＤを有するセル）で切り替えることしか許容されない。ＭｕｌｔｅＦｉｒｅがアンライセンスバンドで動作するため、複数のＭＮＯのＭｕｌｔｅＦｉｒｅネットワークが同一の動作周波数点を同時に使用する可能性がある。すなわち、１つのアンライセンス周波数点で、複数のＰＬＭＮのＭｕｌｔｅＦｉｒｅセルまたは複数のＮＨネットワークのＭｕｌｔｅＦｉｒｅセルが端末に測定されうる。関連技術によれば、端末は、測定報知条件を満たす測定結果を、チャネル品質の高い順に基地局に送信するが、多数の測定する必要のないＭｕｌｔｅＦｉｒｅセルの測定結果を基地局に送信することや、基地局に必要されるＭｕｌｔｅＦｉｒｅセルの測定結果を基地局に報知できないことがありうる。これによって、アップリンクシグナリングコストが大幅に増加し、システム性能が低下し、測定という目的が達成できない可能性さえある。
【０１０８】
シグナリングコストを節約し、効果的なＭｕｌｔｅＦｉｒｅ隣接セル測定を行うために、端末は、ＭｕｌｔｅＦｉｒｅセルの測定結果を選択して基地局に送信する。具体的には、下記２種類の方式を含む。
【０１０９】
方式１：端末は、自主的にＭｕｌｔｅＦｉｒｅセルの測定結果を選択して基地局に送信する。
【０１１０】
現在のセルのネットワークタイプが、ＭｕｌｔｅＦｉｒｅのＰＬＭＮアクセスモードネットワークまたはＬＴＥネットワークであると、端末は、ＰＬＭＮアクセスモードのＭｕｌｔｅＦｉｒｅセルの測定結果のみを基地局に送信し、または、端末の切り替えが許容されるＭｕｌｔｅＦｉｒｅセルの測定結果のみを基地局に送信する。
【０１１１】
変形例として、端末は、以下３種類の測定報告のタイプに基づいてセルの測定結果を基地局に送信することを、同時に実現してもよく、非同時に実現してもよい。
【０１１２】
１．測定報告のタイプがイベントトリガー測定報告である。
端末は、ＭｕｌｔｅＦｉｒｅ隣接セルに対する測定結果が測定報告配置情報ユニットＩＥ（Ｉｎｆｏｒｍａｔｉｏｎ  Ｅｌｅｍｅｎｔ）で指示されるイベントトリガー条件を満たすと、切り替えが許容されるセルのみの測定結果を報知するために、ＲＰＬＭＮまたはＥＰＬＭＮとは同一のＰＬＭＮが放送メッセージでのＰＬＭＮリストに含まれるＭｕｌｔｅＦｉｒｅセルの測定結果のみを報知する。条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）を含む。
端末は、ＭｕｌｔｅＦｉｒｅ隣接セルに対する測定結果が測定報告配置ＩＥで指示されるイベントトリガー条件を満たすと、ＰＬＭＮアクセスモードのＭｕｌｔｅＦｉｒｅセルの測定結果のみを報知し、条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）とを含む。
さらに、異なるＭＮＯにより配置されるＭｕｌｔｅＦｉｒｅセル同士のＰＣＩ衝突問題を解決するために、端末は、ＭｕｌｔｅＦｉｒｅセルのＣＧＩ情報を取得したのであれば、セルの測定結果にＣＧＩ情報を含ませてもよい。
【０１１３】
２．測定報告のタイプが周期的測定報告である。
端末は、ＭｕｌｔｅＦｉｒｅ隣接セルを周期的に測定した後に、ＰＬＭＮアクセスモードのＭｕｌｔｅＦｉｒｅセルの測定結果のみを報知する。条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）を含む。さらに、異なるＭＮＯにより配置されるＭｕｌｔｅＦｉｒｅセル同士のＰＣＩ衝突問題を解決するために、端末は、ＭｕｌｔｅＦｉｒｅセルのＣＧＩ情報を取得したのであれば、セルの測定結果にＣＧＩ情報を含ませてもよい。
または、端末は、ＭｕｌｔｅＦｉｒｅ隣接セルを周期的に測定した後に、ＲＰＬＭＮまたはＥＰＬＭＮとは同一のＰＬＭＮが放送メッセージでのＰＬＭＮリストに含まれるＭｕｌｔｅＦｉｒｅセルの測定結果のみを報知する。条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）を含む。さらに、異なるＭＮＯにより配置されるＭｕｌｔｅＦｉｒｅセル同士のＰＣＩ衝突問題を解決するために、端末は、ＭｕｌｔｅＦｉｒｅセルのＣＧＩ情報を取得したのであれば、セルの測定結果にＣＧＩ情報を含ませてもよい。
【０１１４】
３．測定報告のタイプがＣＧＩ測定報告である。
端末は、指定される目標ＭｕｌｔｅＦｉｒｅセルのＣＧＩを測定すると、ＭｕｌｔｅＦｉｒｅセルのＣＧＩ情報でのＥＣＧＩとＴＡＣとを報知する。シグナリングコストを節約するために、端末は、ＮＨＮ−ＩＤを報知しない。端末は、ＰＬＭＮアクセスモードのＭｕｌｔｅＦｉｒｅセルのＰＬＭＮリストのみ、または、ＭｕｌｔｅＦｉｒｅセルで放送されるＰＬＭＮリストのうちＲＰＬＭＮまたはＥＰＬＭＮとは同一のＰＬＭＮを報知する。
【０１１５】
現在のセルのネットワークタイプが、ＭｕｌｔｅＦｉｒｅのＮＨＮアクセスモードネットワークであると、端末は、ＮＨＮアクセスモードのＭｕｌｔｅＦｉｒｅセルの測定結果のみを基地局に送信し、または、端末の切り替えが許容されるＮＨＮネットワークのＭｕｌｔｅＦｉｒｅセルの測定結果のみを基地局に送信する。
【０１１６】
例えば、端末は、以下３種類の測定報告のタイプに基づいてセルの測定結果を基地局に送信することを、同時に実現してもよく、非同時に実現してもよい。
【０１１７】
１．測定報告のタイプがイベントトリガー測定報告である。
端末は、ＭｕｌｔｅＦｉｒｅ隣接セルに対する測定結果が測定報告配置ＩＥで指示されるイベントトリガー条件を満たすと、ＮＨＮアクセスモードのＭｕｌｔｅＦｉｒｅセルの測定結果のみを報知する。条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）を含む。
または、端末は、ＭｕｌｔｅＦｉｒｅ隣接セルに対する測定結果が測定報告配置ＩＥで指示されるイベントトリガー条件を満たすと、切り替えが許容されるＮＨＮネットワークのＭｕｌｔｅＦｉｒｅセルの測定結果のみを報知するために、放送メッセージでのＮＨＮ−ＩＤがアクセス中セルとは同一であるＭｕｌｔｅＦｉｒｅセルの測定結果のみを報知する。条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）を含む。
さらに、異なるＮＨネットワークのＭｕｌｔｅＦｉｒｅセル同士のＰＣＩ衝突問題を解決するために、端末は、ＭｕｌｔｅＦｉｒｅセルのＣＧＩ情報を取得したのであれば、セルの測定結果にＣＧＩ情報を含ませてもよい。ＣＧＩ情報には、ＭｕｌｔｅＦｉｒｅセルのＮＨＮ−ＩＤが含まれる。
【０１１８】
２．測定報告のタイプが周期的測定報告である。
端末は、ＭｕｌｔｅＦｉｒｅ隣接セルを周期的に測定した後に、ＮＨＮアクセスモードのＭｕｌｔｅＦｉｒｅセルの測定結果のみを報知する。条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）を含む。
または、端末は、ＭｕｌｔｅＦｉｒｅ隣接セルを周期的に測定した後に、放送メッセージでのＮＨＮ−ＩＤがアクセス中セルとは同一であるＭｕｌｔｅＦｉｒｅセルの測定結果のみを報知する。条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）を含む。
さらに、異なるＮＨネットワークのＭｕｌｔｅＦｉｒｅセル同士のＰＣＩ衝突問題を解決するために、端末は、ＭｕｌｔｅＦｉｒｅセルのＣＧＩ情報を取得したのであれば、セルの測定結果にＣＧＩ情報を含ませてもよい。ＣＧＩ情報には、ＮＨＮ−ＩＤが含まれる。
【０１１９】
３．測定報告のタイプがＣＧＩ測定報告である。
端末は、指定される目標ＭｕｌｔｅＦｉｒｅセルのＣＧＩを測定すると、ＭｕｌｔｅＦｉｒｅセルのＣＧＩ情報でのＥＣＧＩとＴＡＣを報知する。シグナリングコストを節約するために、ＰＬＭＮリストが報知されない。端末は、ＮＨＮ−ＩＤを報知し、または、現在のセルのＮＨＮ−ＩＤとは同一であるＭｕｌｔｅＦｉｒｅセルのＮＨＮ−ＩＤのみを報知する。
【０１２０】
方式２：端末は、基地局の測定報告報知指示に基づいて、基地局に必要される測定報告条件を満たすＭｕｌｔｅＦｉｒｅセルの測定結果を基地局に送信する。
【０１２１】
基地局は、測定配置の測定対象ＩＥまたは測定報告配置ＩＥで測定報告報知指示フィールドを送信する。
【０１２２】
測定報告報知指示フィールドは、ＰＬＭＮアクセスモードのＭｕｌｔｅＦｉｒｅセルの測定結果のみ、またはＮＨＮアクセスモードのＭｕｌｔｅＦｉｒｅセルの測定結果のみを報知するよう端末に指示することに用いられる。
【０１２３】
測定報告報知指示フィールドは、さらに、指定ＰＬＭＮまたは指定ＮＨＮ−ＩＤのＭｕｌｔｅＦｉｒｅセルの測定結果のみを報知するよう端末に指示することに用いられる。例えば、端末のアクセス中セルがＰＬＭＮアクセスモードのＭｕｌｔｅＦｉｒｅセルまたはＬＴＥセルであれば、測定報告報知指示は、端末のＲＰＬＭＮまたはＥＰＬＭＮが放送メッセージでのＰＬＭＮ−ＩＤリストに含まれるＭｕｌｔｅＦｉｒｅセルの測定結果のみを報知するよう端末に指示することに用いられる。端末のアクセス中セルがＮＨＮアクセスモードのＭｕｌｔｅＦｉｒｅセルであれば、測定報告報知指示は、アクセス中セルのＮＨＮ−ＩＤとは同一であるＭｕｌｔｅＦｉｒｅセルの測定結果のみを報知するよう端末に指示することに用いられる。
【０１２４】
または、測定報告報知指示フィールドは、１つのＰＬＭＮリストを含み、測定報告報知指示フィールドでのＰＬＭＮリストのうちの少なくとも１つのＰＬＭＮが放送メッセージでのＰＬＭＮリストに含まれるＭｕｌｔｅＦｉｒｅセルの測定結果のみを報知するよう端末に指示する。または、測定報告報知指示フィールドは、１つのＮＨＮ−ＩＤリストを含み、放送メッセージでのＮＨＮ−ＩＤと、測定報告報知指示フィールドでのＮＨＮ−ＩＤリストのうちの少なくとも１つのＮＨＮ−ＩＤとは同一であるＭｕｌｔｅＦｉｒｅセルの測定結果のみを報知するよう端末に指示する。測定報告報知指示フィールドは、１つまたは複数のフィールドである。
【０１２５】
例えば、測定配置の測定対象ＩＥまたは測定報告配置ＩＥで測定報告報知指示フィールドを新たに追加する。フィールドは、すべての測定報告のタイプ（イベントトリガー測定報告、周期測定報告またはＣＧＩ測定報知）に適用し、ＰＬＭＮアクセスモードのＭｕｌｔｅＦｉｒｅセルの測定結果のみ、またはＮＨＮアクセスモードのＭｕｌｔｅＦｉｒｅセルの測定結果のみを報知するよう端末に指示する。または、フィールドは、指定ＰＬＭＮまたは指定ＮＨＮ−ＩＤのＭｕｌｔｅＦｉｒｅセルの測定結果を報知するよう端末に指示することに用いられる。さらに、フィールドには、指定ＰＬＭＮまたは指定ＮＨＮ−ＩＤのＭｕｌｔｅＦｉｒｅセルの測定結果を報知するよう端末に指示することに用いられる１つのＰＬＭＮリストまたは１つのＮＨＮ−ＩＤリストをさらに含んでいてもよい。
【０１２６】
関連するｓｉ−ＲｅｑｕｅｓｔＦｏｒＨＯフィールドは、切り替えが許容されるＭｕｌｔｅＦｉｒｅセルのＣＧＩ情報のみを報知するよう端末に指示することに用いられ、測定報告のタイプがＣＧＩ測定報告である測定に適用する。
【０１２７】
具体的には、端末は、基地局から送信されるｓｉ−ＲｅｑｕｅｓｔＦｏｒＨＯ指示を受信すると、ＰＬＭＮアクセスモードのＭｕｌｔｅＦｉｒｅセルまたはＬＴＥセルにアクセスしているのであれば、指定される目標ＭｕｌｔｅＦｉｒｅセルのＣＧＩを測定した場合、ＮＨＮ−ＩＤを報知せず、放送されるＰＬＭＮリストのうち端末のＲＰＬＭＮまたはＥＰＬＭＮとは同一であるＭｕｌｔｅＦｉｒｅセルの測定結果のみを報知する。端末は、ＮＨＮアクセスモードのＭｕｌｔｅＦｉｒｅセルにアクセスしているのであれば、指定される目標ＭｕｌｔｅＦｉｒｅセルのＣＧＩを測定した場合、ＰＬＭＮリストを報知せず、アクセス中セルのＮＨＮ−ＩＤとは同一であるＭｕｌｔｅＦｉｒｅセルのＮＨＮ−ＩＤのみを報知する。
【０１２８】
本実施形態において、基地局は、端末が基地局の測定配置に指示される測定対象に基づいて測定をした後に送信した測定結果を受信する。端末から送信される測定結果に基づいて、ネットワークの最適化が可能であり、または、端末をＬＴＥネットワークからＭｕｌｔｅＦｉｒｅ隣接セルに切り替えたり、ＭｕｌｔｅＦｉｒｅ隣接セルと隣接セル関係を確立したりすることができる。
【０１２９】
本発明の上記実施形態においては、ＭｕｌｔｅＦｉｒｅセルの測定プロセスに対し、基地局に必要されるＭｕｌｔｅＦｉｒｅセルの測定結果を端末から基地局に報知することができるため、測定する必要のないＭｕｌｔｅＦｉｒｅセルの測定結果を端末から基地局に送信することが避けられる。よって、アップリンクシグナリングコストを低下させ、システム性能を向上させ、効果的なＭｕｌｔｅＦｉｒｅ隣接セル測定を行うことができる。
【０１３０】
さらに、ＬＡＡ隣接セル測定対象とＭｕｌｔｅＦｉｒｅ隣接セル測定対象を区別可能に指示できないことや、端末がどのようにＭｕｌｔｅＦｉｒｅ周波数帯での周波数点の全部集合または部分集合を測定するかの関連技術の問題に対し、本発明の一実施形態によれば、端末が、ＬＡＡの測定対象とＭｕｌｔｅＦｉｒｅの測定対象を区別することができ、すべてまたは一部のＭｕｌｔｅＦｉｒｅ周波数帯の周波数点のチャネル品質を測定することができ、ＬＴＥネットワークからＭｕｌｔｅＦｉｒｅネットワークへの端末の切り替えをサポートすることができる。
【０１３１】
図８は、本発明の一実施形態に係る無線通信ネットワーク用の測定装置を示す。測定装置８０は、基地局に備えられ、しかも、送信モジュール８１と受信モジュール８２とを備える。
【０１３２】
送信モジュール８１は、測定対象のタイプを区別することに用いられる区別識別子が運ばれる測定対象配置情報を含む測定配置情報を端末（端末）に送信することに用いられる。
【０１３３】
受信モジュール８２は、端末から特定済み測定対象の測定後に送信される測定結果を受信することに用いられる。特定済み測定対象は、端末が区別識別子に基づいて特定したものである。
【０１３４】
測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む。区別識別子は、ＥＡＲＦＣＮである。
【０１３５】
なお、装置の実施例は、上記図４〜図７に示す実施例の方法に一対一に対応する装置である。上記図４〜図７に示す一実施形態におけるすべての実現方式は、いずれも装置の実施形態に適用し、同一の技術効果を奏することもできる。
【０１３６】
図９は、本発明の一実施形態に係る基地局を示す。図９の基地局９０は、送信機９１と受信機９２とを備える。
【０１３７】
送信機９１は、測定対象のタイプを区別することに用いられる区別識別子が運ばれる測定対象配置情報を含む測定配置情報を端末に送信することに用いられる。
【０１３８】
受信機９２は、端末から特定済み測定対象の測定後に送信される測定結果を受信することに用いられる。特定済み測定対象は、端末が区別識別子に基づいて特定したものである。
【０１３９】
測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む。区別識別子は、ＥＡＲＦＣＮである。
【０１４０】
なお、基地局の実施形態は、上記図４〜図７に示す一実施形態に係る方法に一対一に対応する装置である。上記図４〜図７に示す一実施形態におけるすべての実現方式は、いずれも基地局の実施形態に適用し、同一の技術効果を奏することもできる。
【０１４１】
図１０は、本発明の一実施形態に係る無線通信ネットワーク用の測定装置を示す。測定方法は、端末側で実行され、しかも、下記ステップ１０１〜ステップ１０４を含む。
【０１４２】
ステップ１０１において、測定対象のタイプを区別することに用いられる区別識別子が運ばれる測定対象配置情報を含む測定配置情報を基地局から受信する。
【０１４３】
ステップ１０２において、区別識別子に基づいて、測定対象を特定する。測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む。区別識別子は、ＥＡＲＦＣＮである。
【０１４４】
ステップ１０３において、特定済みの測定対象を測定して測定結果を得る。
【０１４５】
ステップ１０４において、測定結果を基地局に送信する。
【０１４６】
本実施形態において、端末は、受信した測定対象配置情報での区別識別子に基づいて測定すべく測定対象を特定し、特定済み測定対象を測定して測定結果を取得して基地局に報知する。よって、基地局に必要される測定結果を端末から基地局に報知し、測定する必要のないセルの測定結果を端末から基地局に送信することが避けられる。よって、アップリンクシグナリングコストを低下させ、システム性能を向上させ、効果的なＭｕｌｔｅＦｉｒｅ隣接セル測定を行うことができる。
【０１４７】
図１１は、本発明の一実施形態に係る無線通信ネットワーク用の測定装置を示す。測定方法は、端末側で実行され、しかも、下記ステップ１１１〜ステップ１１４を含む。
【０１４８】
ステップ１１１において、測定対象のタイプを区別することに用いられる区別識別子が運ばれる測定対象配置情報を含む測定配置情報を基地局から受信する。
【０１４９】
ステップ１１２において、区別識別子に基づいて、測定対象を特定する。区別識別子がＬＡＡの周波数点に対応する第１ＥＡＲＦＣＮであれば、測定対象がＬＡＡセルであると特定し、区別識別子がＭｕｌｔｅＦｉｒｅの周波数点に対応する第２ＥＡＲＦＣＮであれば、測定対象がＭｕｌｔｅＦｉｒｅセルであると特定し、区別識別子がＬＴＥの周波数点に対応する第３ＥＡＲＦＣＮであれば、測定対象がＬＴＥセルであると特定する。
【０１５０】
ステップ１１３において、特定済みの測定対象を測定して測定結果を得る。
【０１５１】
ステップ１１４において、測定結果を基地局に送信する。
【０１５２】
ＭｕｌｔｅＦｉｒｅネットワークのセルを測定対象として特定すると、本方法において、第２ＥＡＲＦＣＮまたは測定対象配置情報に運ばれるＭｕｌｔｅＦｉｒｅ周波数帯指示に基づいて、指定ＭｕｌｔｅＦｉｒｅ周波数帯の指定周波数点のセル、または、指定ＭｕｌｔｅＦｉｒｅ周波数帯の周波数点の全部集合のセル、または、指定ＭｕｌｔｅＦｉｒｅ周波数帯の周波数点の部分集合のセルを測定対象として特定することをさらに含む。
【０１５３】
ＭｕｌｔｅＦｉｒｅネットワークの第２ＥＡＲＦＣＮとＭｕｌｔｅＦｉｒｅ周波数帯指示は、システムによってあらかじめ設定される。基地局と端末は、ＭｕｌｔｅＦｉｒｅのＥＡＲＦＣＮとＭｕｌｔｅＦｉｒｅ周波数帯指示を識別することができる。
【０１５４】
測定対象が、指定ＭｕｌｔｅＦｉｒｅ周波数帯の周波数点の全部集合のセルまたは指定ＭｕｌｔｅＦｉｒｅ周波数帯の周波数点の部分集合のセルであれば、測定結果には、測定済みのＭｕｌｔｅＦｉｒｅ周波数点情報を指示する指示フィールドが運ばれる。指示フィールドは、測定結果に追加されるＥＡＲＦＣＮフィールドまたは測定結果の任意のフィールドである。
【０１５５】
現在、ＭｕｌｔｅＦｉｒｅとＬＡＡは、アンライセンスバンドを使用するが、ＬＴＥは、ライセンスバンドを使用する。ＬＡＡとＭｕｌｔｅＦｉｒｅとを区別するために、ＭｕｌｔｅＦｉｒｅとＬＡＡに異なるＥＡＲＦＣＮの範囲が使用されると設定する必要がある。ＭｕｌｔｅＦｉｒｅ  ＥＡＲＦＣＮの設定方式は、２種類ある。
【０１５６】
方式１：前記ＬＡＡの周波数点に対応する第１ＥＡＲＦＣＮと前記ＭｕｌｔｅＦｉｒｅの周波数点に対応する第２ＥＡＲＦＣＮとは異なり、しかも、前記第１ＥＡＲＦＣＮと前記第２ＥＡＲＦＣＮとは同一周波数帯に属する。前記第１ＥＡＲＦＣＮは、実際に使用される周波数帯でのＥＡＲＦＣＮであり、前記第２ＥＡＲＦＣＮは、実際に使用されない周波数帯でのＥＡＲＦＣＮである。
【０１５７】
さらに、ステップ１１３において、第２ＥＡＲＦＣＮと、実際に使用される周波数帯でのＥＡＲＦＣＮとのマッピング関係に基づいてＭｕｌｔｅＦｉｒｅの中心周波数点を得、ＭｕｌｔｅＦｉｒｅの中心周波数点のセルを測定して測定結果を得ることを含む。
【０１５８】
上記実施形態における表３を取り入れる。具体的に、ＦＤＬ＝ＦＤＬ＿ｌｏｗ＋０．１（ＮＤＬ−ＮＯｆｆｓ−ＤＬ）によって、ＭｕｌｔｅＦｉｒｅのダウンリンク周波数帯の中心周波数点を得、ＦＵＬ＝ＦＵＬ＿ｌｏｗ＋０．１（ＮＵＬ−ＮＯｆｆｓ−ＵＬ）によって、ＭｕｌｔｅＦｉｒｅのアップリンク周波数帯の中心周波数点を得る。
ここで、
ＦＤＬ＿ｌｏｗ：ダウンリンク動作周波数帯の最小周波値；
ＦＤＬ：ダウンリンク動作周波数帯の中心周波数点；
ＮＤＬ：第２ＥＡＲＦＣＮに対応する実際に使用されるダウンリンク周波数帯のＥＡＲＦＣＮ；
ＮＯｆｆｓ−ＤＬ：ダウンリンク動作周波数帯のＥＡＲＦＣＮオフセット；
ＦＵＬ＿ｌｏｗ：アップリンク動作周波数帯の最小周波値；
ＦＵＬ：アップリンク動作周波数帯の中心周波数点；
ＮＵＬ：アップリンク第２ＥＡＲＦＣＮに対応する実際に使用されるアップリンク周波数帯のＥＡＲＦＣＮ；
ＮＯｆｆｓ−ＵＬ：アップリンク動作周波数帯のＥＡＲＦＣＮオフセット。
【０１５９】
本実施形態において、ＭｕｌｔｅＦｉｒｅとＬＡＡのＥＡＲＦＣＮは、同一のアンライセンスバンドの異なるＥＡＲＦＣＮ値を使用する。ＥＵＴＲＡＮのアンライセンスバンド（例えばＢａｎｄ４６）で実際に使用可能な周波数点の間隔が２０ＭＨｚであるが、定義されている各周波数点の間隔が１００ＫＨｚであるため、アンライセンスバンドで定義されるＥＡＲＦＣＮは、実際に使用されるＥＡＲＦＣＮより遥かに多い。ＬＡＡは、実際に使用可能なＥＡＲＦＣＮを占用する。ＬＡＡとＭｕｌｔｅＦｉｒｅを区別するために、ＭｕｌｔｅＦｉｒｅが実際に使用されないＥＡＲＦＣＮ値を占用すると設定してもよい。一部のＭｕｌｔｅＦｉｒｅ  ＥＡＲＦＣＮは、ＭｕｌｔｅＦｉｒｅ周波数帯の周波数点の全部集合または周波数点の部分集合を示してもよい。
【０１６０】
また、変形例として、各ＭｕｌｔｅＦｉｒｅ  ＥＡＲＦＣＮと、対応する参照ＥＡＲＦＣＮ（すなわち実際に使用されるＥＡＲＦＣＮ）との間隔Ｋ（Ｋ＜２００）を設定してもよい。
【０１６１】
変形例として、周波数点が微調整できるため、参照ＥＡＲＦＣＮは、２つのＥＡＲＦＣＮで微調整してもよい。Ｋ＜１９８。
【０１６２】
端末は、基地局から送信される測定配置を受信すると、その中のＥＡＲＦＣＮからＭＦ  ＥＡＲＦＣＮであると判断し、ＭＦ  ＥＡＲＦＣＮに対応する参照ＥＡＲＦＣＮが（Ｎ−Ｋ）であると算出し、測定配置でのＭＦ  ＥＡＲＦＣＮを、対応する参照ＥＡＲＦＣＮに変換し、参照ＥＡＲＦＣＮと中心周波数点の計算式から、測定対象の中心周波数点を計算する。ここで、Ｎは、ＭＦ  ＥＡＲＦＣＮである。
【０１６３】
具体的に、第２ＥＡＲＦＣＮと、実際に使用される周波数帯でのＥＡＲＦＣＮとのマッピング関係に基づいてＭｕｌｔｅＦｉｒｅの中心周波数点を得るステップは、ＦＤＬ＝ＦＤＬ＿ｌｏｗ＋０．１（ＮＤＬ−Ｋ−ＮＯｆｆｓ−ＤＬ）によって、ＭｕｌｔｅＦｉｒｅネットワークのダウンリンク周波数帯の中心周波数点を得ることと、ＦＵＬ＝ＦＵＬ＿ｌｏｗ＋０．１（ＮＵＬ−Ｋ−ＮＯｆｆｓ−ＵＬ）によって、ＭｕｌｔｅＦｉｒｅネットワークのアップリンク周波数帯の中心周波数点を得ることとを含む。
ここで、
ＦＤＬ：ダウンリンク動作周波数帯の中心周波数点；
ＦＤＬ＿ｌｏｗ：ダウンリンク動作周波数帯の最小周波値；
ＮＤＬ：ダウンリンク第２ＥＡＲＦＣＮに対応する実際に使用されるダウンリンク周波数帯のＥＡＲＦＣＮ；
ＮＯｆｆｓ−ＤＬ：ダウンリンク動作周波数帯のＥＡＲＦＣＮオフセット；
ＦＵＬ：アップリンク動作周波数帯の中心周波数点；
ＦＵＬ＿ｌｏｗ：アップリンク動作周波数帯の最小周波値；
ＮＵＬ：アップリンク第２ＥＡＲＦＣＮに対応する実際に使用されるアップリンク周波数帯のＥＡＲＦＣＮ；
ＮＯｆｆｓ−ＵＬ：アップリンク動作周波数帯のＥＡＲＦＣＮオフセット；
Ｋ：第２ＥＡＲＦＣＮと、対応する参照ＥＡＲＦＣＮとの間隔。
【０１６４】
方式２：前記ＬＡＡの周波数点に対応する第１ＥＡＲＦＣＮとＭｕｌｔｅＦｉｒｅの周波数点に対応する第２ＥＡＲＦＣＮとは異なり、しかも、第１ＥＡＲＦＣＮと第２ＥＡＲＦＣＮとは異なる周波数帯に属する。
上記ステップ１１３は、ＦＤＬ＝ＦＤＬ＿ｌｏｗ＋０．１（ＮＤＬ−ＮＯｆｆｓ−ＤＬ）によって、ＭｕｌｔｅＦｉｒｅのダウンリンク周波数帯の中心周波数点を得ることと、ＦＵＬ＝ＦＵＬ＿ｌｏｗ＋０．１（ＮＵＬ−ＮＯｆｆｓ−ＵＬ）によって、ＭｕｌｔｅＦｉｒｅのアップリンク周波数帯の中心周波数点を得ることとを含む。
ここで、
ＦＤＬ＿ｌｏｗ：ダウンリンク動作周波数帯の最小周波値；
ＦＤＬ：ダウンリンク動作周波数帯の中心周波数点；
ＮＤＬ：ダウンリンク第２ＥＡＲＦＣＮ；
ＮＯｆｆｓ−ＤＬ：ダウンリンク動作周波数帯のＥＡＲＦＣＮオフセット；
ＦＵＬ＿ｌｏｗ：アップリンク動作周波数帯の最小周波値；
ＦＵＬ：アップリンク動作周波数帯の中心周波数点；
ＮＵＬ：アップリンク第２ＥＡＲＦＣＮ；
ＮＯｆｆｓ−ＵＬ：アップリンク動作周波数帯のＥＡＲＦＣＮオフセット。
【０１６５】
第１ＥＡＲＦＣＮは、実際に使用されるチャネル番号であり、第２ＥＡＲＦＣＮは、現在定義されていない専用周波数帯番号に設定されるチャネル番号であり、専用周波数帯番号には、定義されていないＥＡＲＦＣＮが対応付けて設定されている。
【０１６６】
具体的には、ＭｕｌｔｅＦｉｒｅに対し専用周波数帯番号を設定し、ＭｕｌｔｅＦｉｒｅに使用される各アンライセンスバンドに対し、専用の周波数帯番号を設定する。ＭｕｌｔｅＦｉｒｅは、現在定義されていないＥＵＴＲＡＮ  Ｂａｎｄ番号（Ｂａｎｄ４７−Ｂａｎｄ６３またはＢａｎｄ６９−Ｂａｎｄ２５５）を使用する。同時に、ＭｕｌｔｅＦｉｒｅの各周波数帯番号でのＥＡＲＦＣＮを設定し、ＭＦ  ＥＡＲＦＣＮは、現在定義されていないＥＡＲＦＣＮ（５４５４０−６５５３５または６７８３６−２６２１４３）を使用する。また、現在定義されていないＥＡＲＦＣＮによって、ＭｕｌｔｅＦｉｒｅ周波数帯のＥＡＲＦＣＮの全部集合または部分集合を示してもよい。
【０１６７】
例えば、Ｂａｎｄ４６に対応するＭｕｌｔｅＦｉｒｅ専用周波数帯をＢａｎｄ２５５と設定する。表２に示されるように、ＬＡＡはＢａｎｄ４６を使用し、ＭｕｌｔｅＦｉｒｅは、Ｂａｎｄ２５５を使用する。両者の周波数範囲は、共に５１５０ＭＨｚ〜５９２５ＭＨｚであり、単に周波数帯番号が異なる。
【０１６８】
上記表４、表５、表６および表７を一実施形態に取り入れる。本実施形態において、ＭｕｌｔｅＦｉｒｅとＬＡＡとは、周波数帯番号が異なるものがあるため、異なるＥＡＲＦＣＮを占用する。
【０１６９】
上記実施形態において、測定対象が、指定ＭｕｌｔｅＦｉｒｅの周波数帯の周波数点の全部集合のセルまたは指定ＭｕｌｔｅＦｉｒｅの周波数帯の周波数点の部分集合のセルであれば、測定結果には、測定済みのＭｕｌｔｅＦｉｒｅ周波数点情報を指示する指示フィールドが運ばれる。
【０１７０】
指示フィールドは、測定結果に追加されるＥＡＲＦＣＮフィールドまたは測定結果の任意のフィールドである。
【０１７１】
図１２は、本発明の一実施形態に係る無線通信ネットワーク用の測定装置を示す。測定方法は、端末側で実行され、しかも、下記ステップ１２１〜ステップ１２４を含む。
【０１７２】
ステップ１２１において、測定対象のタイプを区別することに用いられる区別識別子が運ばれる測定対象配置情報を含む測定配置情報を基地局から受信する。
【０１７３】
ステップ１２２において、区別識別子に基づいて、測定対象を特定する。
【０１７４】
ステップ１２３において、特定済みの測定対象を測定して測定結果を得る。
【０１７５】
ステップ１２４において、測定結果を基地局に送信する。
【０１７６】
具体的には、ステップ１２４において、端末は、自主的に、または、測定配置情報での測定報告報知指示情報に基づいて、指定ＭｕｌｔｅＦｉｒｅセルの測定結果を基地局に送信するステップ１２４１を含む。
【０１７７】
ステップ１２４１において、端末が、測定配置情報での測定報告報知指示情報に基づいて、指定ＭｕｌｔｅＦｉｒｅセルの測定結果を基地局に送信することは、ステップ１２４１１を含む。
【０１７８】
ステップ１２４１１において、端末は、測定配置情報の測定報告配置情報に運ばれる測定報告報知指示情報、または、測定配置情報での測定対象配置情報に運ばれる測定報告報知指示情報に基づいて、指定ＭｕｌｔｅＦｉｒｅセルの測定結果を基地局に送信する。ここで、測定報告報知指示情報は、指定ＭｕｌｔｅＦｉｒｅセルの測定結果を報知するよう端末に指示することに用いられる。
【０１７９】
ステップ１２４１において、端末が自主的に指定ＭｕｌｔｅＦｉｒｅセルの測定結果を基地局に送信することは、ステップ１２４１２またはステップ１２４１３またはステップ１２４１４を含む。
【０１８０】
ステップ１２４１２において、アクセス中セルがＰＬＭＮアクセスモードのＭｕｌｔｅＦｉｒｅセルまたはＬＴＥセルであれば、端末は、ＰＬＭＮアクセスモードのＭｕｌｔｅＦｉｒｅセルの測定結果のみを基地局に送信する。
【０１８１】
ステップ１２４１３において、アクセス中セルがＮＨＮアクセスモードのＭｕｌｔｅＦｉｒｅセルであれば、端末は、ＮＨＮアクセスモードのＭｕｌｔｅＦｉｒｅセルの測定結果のみを基地局に送信する。
【０１８２】
ステップ１２４１４において、端末は、端末の切り替えが許容されるＭｕｌｔｅＦｉｒｅセルの測定結果のみを基地局に送信する。
【０１８３】
ステップ１２４１４において、さらにステップ１２４１４１またはステップ１２４１４２を含む。
【０１８４】
ステップ１２４１４１において、アクセス中セルがＰＬＭＮアクセスモードのＭｕｌｔｅＦｉｒｅセルまたはＬＴＥセルであれば、端末は、端末のＲＰＬＭＮまたはＥＰＬＭＮが放送メッセージでのＰＬＭＮ−ＩＤリストに含まれるＭｕｌｔｅＦｉｒｅセルの測定結果のみを基地局に送信する。
【０１８５】
ステップ１２４１４２において、アクセス中セルがＮＨＮアクセスモードのＭｕｌｔｅＦｉｒｅセルであれば、端末は、アクセス中セルとはＮＨＮ−ＩＤが同一であるＭｕｌｔｅＦｉｒｅセルの測定結果のみを基地局に送信する。
【０１８６】
ここで、測定報告報知指示情報は、指定ＭｕｌｔｅＦｉｒｅセルの測定結果を報知するよう端末に指示することに用いられる。測定報告報知指示情報は、公衆陸上移動体ネットワークＰＬＭＮアクセスモードのＭｕｌｔｅＦｉｒｅネットワークのセルの測定結果を基地局に送信するよう端末に指示することに用いられる。または、測定報告報知指示情報は、ＮＨＮアクセスモードのＭｕｌｔｅＦｉｒｅネットワークのセルの測定結果を基地局に送信するよう端末に指示することに用いられる。または、測定報告報知指示情報は、指定ＰＬＭＮ−ＩＤまたは指定ＮＨＮ−ＩＤのＭｕｌｔｅＦｉｒｅネットワークのセルの測定結果を報知するよう端末に指示することに用いられる。
【０１８７】
ここで、測定報告報知指示情報は、指定ＰＬＭＮ−ＩＤまたは指定ＮＨＮ−ＩＤのＭｕｌｔｅＦｉｒｅセルの測定結果を報知するよう端末に指示することに用いられる。測定報告報知指示情報は、第１ＰＬＭＮ−ＩＤリストを含み、測定報告報知指示情報は、第１ＰＬＭＮ−ＩＤリストのうちの少なくとも１つのＰＬＭＮ−ＩＤが放送メッセージでのＰＬＭＮ−ＩＤリストに含まれるＭｕｌｔｅＦｉｒｅセルの測定結果のみを報知するよう端末に指示することに用いられる。または、測定報告報知指示情報は、第１ＮＨＮ−ＩＤリストを含み、測定報告報知指示情報は、放送メッセージでのＮＨＮ−ＩＤと、測定報告報知指示情報でのＮＨＮ−ＩＤリストのうちの１つのＮＨＮ−ＩＤとは同一であるＭｕｌｔｅＦｉｒｅセルの測定結果のみを報知するよう端末に指示することに用いられる。
【０１８８】
ここで、測定報告報知指示情報は、指定ＰＬＭＮ−ＩＤまたは指定ＮＨＮ−ＩＤのＭｕｌｔｅＦｉｒｅセルの測定結果を報知するよう端末に指示することに用いられる。測定報告報知指示情報は、切り替えが許容されるＭｕｌｔｅＦｉｒｅセルの測定結果のみを報知するよう端末に指示することに用いられる。
【０１８９】
さらに、切り替えが許容されるＭｕｌｔｅＦｉｒｅセルは、端末のＲＰＬＭＮまたはＥＰＬＭＮが放送メッセージでのＰＬＭＮ−ＩＤリストに含まれるＭｕｌｔｅＦｉｒｅセル、または、アクセス中セルとはＮＨＮ−ＩＤが同一であるＭｕｌｔｅＦｉｒｅセルを含む。
【０１９０】
さらに、測定報告報知指示情報は、切り替えが許容されるＭｕｌｔｅＦｉｒｅセルの測定結果のみを報知するよう端末に指示することに用いられる。測定報告報知指示情報は、測定報告配置情報に含まれるｓｉ−ＲｅｑｕｅｓｔＦｏｒＨＯフィールドである。ｓｉ−ＲｅｑｕｅｓｔＦｏｒＨＯフィールドは、切り替えが許容されるＭｕｌｔｅＦｉｒｅセルの測定結果のみを報知するよう端末に指示することに用いられる。
【０１９１】
本実施形態において、端末は、基地局から送信される測定配置情報を受信する際に、測定配置での測定対象配置情報でのＥＡＲＦＣＮフィールドを取得する。端末は、ＥＡＲＦＣＮフィールドによって、測定対象がＬＡＡ周波数点のセルであるか、ＬＴＥ周波数点のセルであるか、ＭｕｌｔｅＦｉｒｅ周波数点のセルであるかを区別することができる。
【０１９２】
測定対象がＭｕｌｔｅＦｉｒｅセルであれば、端末は、ＥＡＲＦＣＮ、または、測定対象配置情報に含まれるＭｕｌｔｅＦｉｒｅ周波数帯指示フィールドに基づいて、測定対象が、ＭｕｌｔｅＦｉｒｅ周波数帯の周波数点の全部集合であるか、ＭｕｌｔｅＦｉｒｅ周波数帯の周波数点の部分集合であるかが分かる。
【０１９３】
ここで、ＭｕｌｔｅＦｉｒｅのＥＡＲＦＣＮとＭｕｌｔｅＦｉｒｅ周波数帯指示は、システムによってあらかじめ設定される。基地局と端末とは、ＭｕｌｔｅＦｉｒｅのＥＡＲＦＣＮとＭｕｌｔｅＦｉｒｅ周波数帯指示を識別することができる。
【０１９４】
端末は、ＥＡＲＦＣＮフィールドによって、測定対象がＭｕｌｔｅＦｉｒｅのすべてまたは一部の周波数帯であるか、単一周波数点であるかが分かる。
【０１９５】
端末は、ＭｕｌｔｅＦｉｒｅの周波数点でチャネル品質測定を行った後に、測定結果が測定配置情報に含まれる測定報告配置情報に指示される測定報告ルールを満たすのであれば、測定結果メッセージ（ＭｅａｓＲｅｓｕｌｔｓ）でのＥＵＴＲＡＮの測定結果報告ＩＥ（ＭｅａｓＲｅｓｕｌｔＥＵＴＲＡ）を用いて、ＭｕｌｔｅＦｉｒｅのチャネル品質測定結果（セルのＲＳＲＰ、ＲＳＲＱおよび／またはＣＧＩなどの情報を含む）を基地局に送信する。セルのＣＧＩ情報は、ＥＣＧＩとＴＡＣ（トラッキングエリアコード）を含み、さらにＰＬＭＮ情報とＮＨＮ−ＩＤを含む可能性もある。ここで、測定結果メッセージでの測定識別子（ｍｅａｓＩＤ）は、上記ＭｕｌｔｅＦｉｒｅ測定配置情報に含まれる測定識別子（ｍｅａｓＩＤ）に対応する。各ＭｅａｓＲｅｓｕｌｔＥＵＴＲＡに１つのセルの測定結果が含まれ、１つの測定結果メッセージには、最多で８セルの測定結果が含まれる。
【０１９６】
基地局が単一周波数点のみの測定ではなく、すべてのＭｕｌｔｅＦｉｒｅ周波数帯またはＭｕｌｔｅＦｉｒｅの部分周波数帯の測定を１つのＭｕｌｔｅＦｉｒｅ測定配置情報で指示するのであれば、端末は、測定結果を送信する際に、測定結果メッセージで、測定済みのＭｕｌｔｅＦｉｒｅ周波数点情報を指示し、または、測定結果メッセージの各セルの測定結果ＩＥ（ＭｅａｓＲｅｓｕｌｔＥＵＴＲＡ）で、測定済みのＭｕｌｔｅＦｉｒｅセルの周波数点を指示する（例えばＭｅａｓＲｅｓｕｌｔＥＵＴＲＡでＥＡＲＦＣＮフィールドを追加する）必要がある。よって、基地局は、測定結果に対応する周波数点が分かる。基地局が１つのＭｕｌｔｅＦｉｒｅ測定配置で単一周波数点を測定すると指示するのであれば、端末は、測定済みのＭｕｌｔｅＦｉｒｅセルのＥＡＲＦＣＮを測定結果メッセージで指示する必要がない。
【０１９７】
端末は、２種類の方式によって、測定される周波数帯の周波数点情報を測定結果メッセージで指示する。
方式１：測定結果ＩＥ（ＭｅａｓＲｅｓｕｌｔＥＵＴＲＡ）でＥＡＲＦＣＮフィールドを追加する。
方式２：測定結果ＩＥ（ＭｅａｓＲｅｓｕｌｔＥＵＴＲＡ）での他のフィールドで周波数点情報を運ぶ。
【０１９８】
例えば、端末は、測定結果ＩＥでのＭｅａｓＩＤに占用されるフィールドの長さを増やし、ＭｅａｓＩＤで周波数点情報を運ぶ。すなわち、ＭｅａｓＩＤフィールドには、同時に測定識別子情報と測定周波数点情報が含まれる。
【０１９９】
ここで、測定周波数点情報は、ＥＡＲＦＣＮであってもよく、測定される周波数帯における周波数点のインデックス値であってもよい。
【０２００】
基地局は、指定のすべてのＭｕｌｔｅＦｉｒｅ周波数帯またはＭｕｌｔｅＦｉｒｅの部分周波数帯の周波数点でＭｕｌｔｅＦｉｒｅセルのチャネル品質を測定するよう端末に指示するのであれば、測定結果での周波数点情報によって、測定結果に対応する周波数点を取得する。
【０２０１】
基地局は、測定対象配置情報でのＥＡＲＦＣＮまたはＭｕｌｔｅＦｉｒｅ周波数帯指示フィールドによって、指定のすべてのＭｕｌｔｅＦｉｒｅ周波数帯またはＭｕｌｔｅＦｉｒｅの部分周波数帯の周波数点でＭｕｌｔｅＦｉｒｅセルのチャネル品質を測定するよう端末に指示するのであれば、測定結果での周波数点情報によって、測定結果に対応する周波数点を取得し、端末の異なる周波数点での測定結果によって、端末をＬＴＥネットワークから指定周波数点のＭｕｌｔｅＦｉｒｅセルに切り替えることができる。
【０２０２】
一方、端末は、基地局から送信された測定配置情報を受信する場合、測定配置情報での測定対象配置情報でのＥＡＲＦＣＮフィールドを取得する。端末は、ＥＡＲＦＣＮフィールドによって、測定対象がＬＡＡであるか、ＬＴＥであるか、ＭｕｌｔｅＦｉｒｅであるかを区別することができる。
【０２０３】
さらに、端末は、ＥＡＲＦＣＮ、または、ＭｕｌｔｅＦｉｒｅ周波数帯指示フィールドによって、測定対象がすべてのＭｕｌｔｅＦｉｒｅ周波数帯であるかＭｕｌｔｅＦｉｒｅの部分周波数帯であるかが分かる。ここで、ＭｕｌｔｅＦｉｒｅのＥＡＲＦＣＮとＭｕｌｔｅＦｉｒｅ周波数帯指示は、システムによってあらかじめ設定される。基地局と端末とが、ＭｕｌｔｅＦｉｒｅのＥＡＲＦＣＮとＭｕｌｔｅＦｉｒｅ周波数帯指示を識別することができる。
【０２０４】
端末は、上記ＭｕｌｔｅＦｉｒｅ測定対象セルに対する測定結果が測定配置に含まれる測定報告配置ＩＥに指示される測定報告条件を満たすのであれば、自主的に、または、基地局の測定報告報知指示に基づいて、ＭｕｌｔｅＦｉｒｅセルの測定結果を選択して基地局に送信する。
【０２０５】
３ＧＰＰネットワークにおいて、測定報告配置ＩＥで構成される測定報告のタイプは、イベントトリガー測定報告、周期的測定報告およびＣＧＩ測定報告を含む。
【０２０６】
イベントトリガー測定報告は、切り替えるために設定される。端末は、ＭｕｌｔｅＦｉｒｅ隣接セルに対する測定結果が測定報告配置ＩＥで指示されるイベントトリガー測定報告のトリガー条件を満たすと、ＭｕｌｔｅＦｉｒｅ隣接セルの測定結果を信号品質の高い順に基地局に報告する。ＥＵＴＲＡＮ測定イベントは、Ａ１〜Ａ６、Ｂ１、Ｂ２、Ｃ１、Ｃ２を含む。
【０２０７】
周期的測定報告は、ネットワーク最適化（例えばＡＮＲ（Ａｕｔｏｍａｔｉｃ  Ｎｅｉｇｈｂｏｕｒ  Ｒｅｌａｔｉｏｎｓｈｉｐ））のために設定される。端末は、最大信号品質の隣接セルの測定結果を周期的に報知し、測定結果を信号品質の高い順に基地局に報告する。
【０２０８】
ＣＧＩ測定報告は、ＰＣＩ混同問題を解決することや、ＡＮＲを行うために設定される。端末は、基地局に指定される隣接セル放送メッセージでのＣＧＩ（ＥＣＧＩ、ＴＡＣなどの情報を含む）を読み取ると、セルのＣＧＩ情報を基地局に報告する。
【０２０９】
ＭｕｌｔｅＦｉｒｅのＰＬＭＮアクセスモードネットワークまたはＬＴＥネットワークにおいて、ＮＨＮアクセスモードのＭｕｌｔｅＦｉｒｅネットワークとの隣接セル関係を確立することが許容されず、端末を端末のＲＰＬＭＮまたはＥＰＬＭＮのＭｕｌｔｅＦｉｒｅセルに切り替えることしか許容されない。ＭｕｌｔｅＦｉｒｅのＮＨＮアクセスモードネットワークにおいて、ＰＬＭＮアクセスモードのＭｕｌｔｅＦｉｒｅネットワークとの隣接セル関係を確立することが許容されず、端末が現在のＮＨネットワーク（すなわち同一ＮＨＮ−ＩＤを有するセル）で切り替えることしか許容されない。ＭｕｌｔｅＦｉｒｅがアンライセンスバンドで動作するため、複数のＭＮＯのＭｕｌｔｅＦｉｒｅネットワークが同一の動作周波数点を同時に使用する可能性がある。すなわち、１つのアンライセンス周波数点で、複数のＰＬＭＮのＭｕｌｔｅＦｉｒｅセルまたは複数のＮＨネットワークのＭｕｌｔｅＦｉｒｅセルが端末に測定される。関連技術によれば、端末は、測定報知条件を満たす測定結果を、チャネル品質の高い順に基地局に送信するが、多数の測定する必要のないＭｕｌｔｅＦｉｒｅセルの測定結果を基地局に送信することや、基地局に必要されるＭｕｌｔｅＦｉｒｅセルの測定結果を基地局に報知できないことがある。これによって、アップリンクシグナリングコストが大幅に増加し、システム性能が低下し、測定という目的が達成できない可能性がある。
【０２１０】
シグナリングコストを節約し、効果的なＭｕｌｔｅＦｉｒｅ隣接セル測定を行うために、端末は、ＭｕｌｔｅＦｉｒｅセルの測定結果を選択して基地局に送信する。具体的には、下記２種類の方式を含む。
【０２１１】
方式１：端末は、自主的にＭｕｌｔｅＦｉｒｅセルの測定結果を選択して基地局に送信する。
【０２１２】
現在のセルのネットワークタイプが、ＭｕｌｔｅＦｉｒｅのＰＬＭＮアクセスモードネットワークまたはＬＴＥネットワークであると、端末は、ＰＬＭＮアクセスモードのＭｕｌｔｅＦｉｒｅセルの測定結果のみを基地局に送信し、または、端末の切り替えが許容されるＭｕｌｔｅＦｉｒｅセルの測定結果のみを基地局に送信する。
【０２１３】
変形例として、端末は、以下３種類の測定報告のタイプに基づいてセルの測定結果を基地局に送信することを、同時に実現してもよく、非同時に実現してもよい。
【０２１４】
１．測定報告のタイプがイベントトリガー測定報告である。
端末は、ＭｕｌｔｅＦｉｒｅ隣接セルに対する測定結果が測定報告配置情報ユニットＩＥで指示されるイベントトリガー条件を満たすと、切り替えが許容されるセルのみの測定結果を報知するために、ＲＰＬＭＮまたはＥＰＬＭＮとは同一のＰＬＭＮが放送メッセージでのＰＬＭＮリストに含まれるＭｕｌｔｅＦｉｒｅセルの測定結果のみを報知する。条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）を含む。
端末は、ＭｕｌｔｅＦｉｒｅ隣接セルに対する測定結果が測定報告配置ＩＥで指示されるイベントトリガー条件を満たすと、ＰＬＭＮアクセスモードのＭｕｌｔｅＦｉｒｅセルの測定結果のみを報知する。条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）を含む。
さらに、異なるＭＮＯにより配置されるＭｕｌｔｅＦｉｒｅセル同士のＰＣＩ衝突問題を解決するために、端末は、ＭｕｌｔｅＦｉｒｅセルのＣＧＩ情報を取得したのであれば、セルの測定結果にＣＧＩ情報を含ませてもよい。
【０２１５】
２．測定報告のタイプが周期的測定報告である。
端末は、ＭｕｌｔｅＦｉｒｅ隣接セルを周期的に測定した後に、ＰＬＭＮアクセスモードのＭｕｌｔｅＦｉｒｅセルの測定結果のみを報知する。条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）を含む。さらに、異なるＭＮＯにより配置されるＭｕｌｔｅＦｉｒｅセル同士のＰＣＩ衝突問題を解決するために、端末は、ＭｕｌｔｅＦｉｒｅセルのＣＧＩ情報を取得したのであれば、セルの測定結果にＣＧＩ情報を含ませてもよい。
または、端末は、ＭｕｌｔｅＦｉｒｅ隣接セルを周期的に測定した後に、ＲＰＬＭＮまたはＥＰＬＭＮとは同一のＰＬＭＮが放送メッセージでのＰＬＭＮリストに含まれるＭｕｌｔｅＦｉｒｅセルの測定結果のみを報知する。条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）を含む。さらに、異なるＭＮＯに配置されるＭｕｌｔｅＦｉｒｅセル同士のＰＣＩ衝突問題を解決するために、端末は、ＭｕｌｔｅＦｉｒｅセルのＣＧＩ情報を取得したのであれば、セルの測定結果にＣＧＩ情報を含ませてもよい。
【０２１６】
３．測定報告のタイプがＣＧＩ測定報告である。
端末は、指定される目標ＭｕｌｔｅＦｉｒｅセルのＣＧＩを測定すると、ＭｕｌｔｅＦｉｒｅセルのＣＧＩ情報でのＥＣＧＩとＴＡＣを報知する。シグナリングコストを節約するために、端末は、ＮＨＮ−ＩＤを報知しない。端末は、ＰＬＭＮアクセスモードのＭｕｌｔｅＦｉｒｅセルのＰＬＭＮリストのみ、または、ＭｕｌｔｅＦｉｒｅセルで放送されるＰＬＭＮリストのうちＲＰＬＭＮまたはＥＰＬＭＮとは同一のＰＬＭＮを報知する。
【０２１７】
現在のセルのネットワークタイプが、ＭｕｌｔｅＦｉｒｅのＮＨＮアクセスモードネットワークであると、端末は、ＮＨＮアクセスモードのＭｕｌｔｅＦｉｒｅセルの測定結果のみを基地局に送信し、または、端末の切り替えが許容されるＮＨＮネットワークのＭｕｌｔｅＦｉｒｅセルの測定結果のみを基地局に送信する。
【０２１８】
例えば、端末は、以下３種類の測定報告のタイプに基づいてセルの測定結果を基地局に送信することを、同時に実現してもよく、非同時に実現してもよい。
【０２１９】
１．測定報告のタイプがイベントトリガー測定報告である。
端末は、ＭｕｌｔｅＦｉｒｅ隣接セルに対する測定結果が測定報告配置ＩＥで指示されるイベントトリガー条件を満たすと、ＮＨＮアクセスモードのＭｕｌｔｅＦｉｒｅセルの測定結果のみを報知する。条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）を含む。
または、端末は、ＭｕｌｔｅＦｉｒｅ隣接セルに対する測定結果が測定報告配置ＩＥで指示されるイベントトリガー条件を満たすと、切り替えが許容されるＮＨＮネットワークのＭｕｌｔｅＦｉｒｅセルの測定結果のみを報知するために、放送メッセージでのＮＨＮ−ＩＤがアクセス中セルとは同一であるＭｕｌｔｅＦｉｒｅセルの測定結果のみを報知する。条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）を含む。
さらに、異なるＮＨネットワークのＭｕｌｔｅＦｉｒｅセル同士のＰＣＩ衝突問題を解決するために、端末は、ＭｕｌｔｅＦｉｒｅセルのＣＧＩ情報を取得したのであれば、セルの測定結果にＣＧＩ情報を含ませてもよいが、中にはＭｕｌｔｅＦｉｒｅセルのＮＨＮ−ＩＤが含まれる。
【０２２０】
２．測定報告のタイプが周期的測定報告である。
端末は、ＭｕｌｔｅＦｉｒｅ隣接セルを周期的に測定した後に、ＮＨＮアクセスモードのＭｕｌｔｅＦｉｒｅセルの測定結果のみを報知する。条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）を含む。
または、端末は、ＭｕｌｔｅＦｉｒｅ隣接セルを周期的に測定した後に、放送メッセージでのＮＨＮ−ＩＤがアクセス中セルとは同一であるＭｕｌｔｅＦｉｒｅセルの測定結果のみを報知する。条件を満たすＭｕｌｔｅＦｉｒｅセルが複数あれば、チャネル品質の高い順に測定結果を報知する。ここで、測定結果には、ＭｕｌｔｅＦｉｒｅセルのＰＣＩとチャネル品質（ＲＳＲＰおよび／またはＲＳＲＱ）を含む。
さらに、異なるＮＨネットワークのＭｕｌｔｅＦｉｒｅセル同士のＰＣＩ衝突問題を解決するために、端末は、ＭｕｌｔｅＦｉｒｅセルのＣＧＩ情報を取得したのであれば、セルの測定結果にＣＧＩ情報を含ませてもよいが、中にはＮＨＮ−ＩＤが含まれる。
【０２２１】
３．測定報告のタイプがＣＧＩ測定報告である。
端末は、指定される目標ＭｕｌｔｅＦｉｒｅセルのＣＧＩを測定すると、ＭｕｌｔｅＦｉｒｅセルのＣＧＩ情報でのＥＣＧＩとＴＡＣを報知する。シグナリングコストを節約するために、ＰＬＭＮリストが報知されない。端末は、ＮＨＮ−ＩＤを報知し、または、現在のセルのＮＨＮ−ＩＤとは同一であるＭｕｌｔｅＦｉｒｅセルのＮＨＮ−ＩＤのみを報知する。
【０２２２】
方式２：端末は、基地局の測定報告報知指示に基づいて、基地局に必要されて測定報告条件を満たすＭｕｌｔｅＦｉｒｅセルの測定結果を基地局に送信する。
【０２２３】
基地局は、測定配置の測定対象ＩＥまたは測定報告配置ＩＥで測定報告報知指示フィールドを送信する。
【０２２４】
測定報告報知指示フィールドは、ＰＬＭＮアクセスモードのＭｕｌｔｅＦｉｒｅセルの測定結果のみ、またはＮＨＮアクセスモードのＭｕｌｔｅＦｉｒｅセルの測定結果のみを報知するよう端末に指示することに用いられる。
【０２２５】
測定報告報知指示フィールドは、さらに、指定ＰＬＭＮまたは指定ＮＨＮ−ＩＤのＭｕｌｔｅＦｉｒｅセルの測定結果のみを報知するよう端末に指示することに用いられる。例えば、端末のアクセス中セルがＰＬＭＮアクセスモードのＭｕｌｔｅＦｉｒｅセルまたはＬＴＥセルであれば、測定報告報知指示は、端末のＲＰＬＭＮまたはＥＰＬＭＮが放送メッセージでのＰＬＭＮ−ＩＤリストに含まれるＭｕｌｔｅＦｉｒｅセルの測定結果のみを報知するよう端末に指示することに用いられる。端末のアクセス中セルがＮＨＮアクセスモードのＭｕｌｔｅＦｉｒｅセルであれば、測定報告報知指示は、アクセス中セルのＮＨＮ−ＩＤとは同一であるＭｕｌｔｅＦｉｒｅセルの測定結果のみを報知するよう端末に指示することに用いられる。
【０２２６】
または、測定報告報知指示フィールドは、１つのＰＬＭＮリストを含み、測定報告報知指示フィールドでのＰＬＭＮリストのうちの少なくとも１つのＰＬＭＮが放送メッセージでのＰＬＭＮリストに含まれるＭｕｌｔｅＦｉｒｅセルの測定結果のみを報知するよう端末に指示する。または、測定報告報知指示フィールドは、１つのＮＨＮ−ＩＤリストを含み、放送メッセージでのＮＨＮ−ＩＤと、測定報告報知指示フィールドでのＮＨＮ−ＩＤのうちの少なくとも１つのＮＨＮ−ＩＤとは同一であるＭｕｌｔｅＦｉｒｅセルの測定結果のみを報知するよう端末に指示する。測定報告報知指示フィールドは、１つまたは複数のフィールドである。
【０２２７】
例えば、測定配置の測定対象ＩＥまたは測定報告配置ＩＥで測定報告報知指示フィールドを新たに追加する。フィールドは、すべての測定報告のタイプ（イベントトリガー測定報告、周期的トリガー測定報告またはＣＧＩ測定報知）に適用し、ＰＬＭＮアクセスモードのＭｕｌｔｅＦｉｒｅセルの測定結果のみ、またはＮＨＮアクセスモードのＭｕｌｔｅＦｉｒｅセルの測定結果のみを報知するよう端末に指示する。または、フィールドは、指定ＰＬＭＮまたは指定ＮＨＮ−ＩＤのＭｕｌｔｅＦｉｒｅセルの測定結果を報知するよう端末に指示することに用いられる。さらに、フィールドには、指定ＰＬＭＮまたは指定ＮＨＮ−ＩＤのＭｕｌｔｅＦｉｒｅセルの測定結果を報知するよう端末に指示することに用いられる１つのＰＬＭＮリストまたは１つのＮＨＮ−ＩＤリストをさらに含んでいてもよい。
【０２２８】
関連するｓｉ−ＲｅｑｕｅｓｔＦｏｒＨＯフィールドは、切り替えが許容されるＭｕｌｔｅＦｉｒｅセルのＣＧＩ情報のみを報知するよう端末に指示することに用いられ、測定報告のタイプがＣＧＩ測定報告である測定に適用する。
【０２２９】
具体的には、端末は、基地局から送信されるｓｉ−ＲｅｑｕｅｓｔＦｏｒＨＯ指示を受信すると、ＰＬＭＮアクセスモードのＭｕｌｔｅＦｉｒｅセルまたはＬＴＥセルにアクセスしているのであれば、指定される目標ＭｕｌｔｅＦｉｒｅセルのＣＧＩを測定した場合、ＮＨＮ−ＩＤを報知せず、放送されるＰＬＭＮリストのうち端末のＲＰＬＭＮまたはＥＰＬＭＮとは同一であるＭｕｌｔｅＦｉｒｅセルの測定結果のみを報知する。端末は、ＮＨＮアクセスモードのＭｕｌｔｅＦｉｒｅセルにアクセスしているのであれば、指定される目標ＭｕｌｔｅＦｉｒｅセルのＣＧＩを測定した場合、ＰＬＭＮリストを報知せず、アクセス中セルのＮＨＮ−ＩＤとは同一であるＭｕｌｔｅＦｉｒｅセルのＮＨＮ−ＩＤのみを報知する。
【０２３０】
本実施形態において、基地局は、端末が基地局の測定配置に指示される測定対象に基づいて測定をした後に送信した測定結果を受信する。端末から送信される測定結果に基づいて、ネットワークの最適化が可能であり、または、端末をＬＴＥネットワークからＭｕｌｔｅＦｉｒｅ隣接セルに切り替えたり、ＭｕｌｔｅＦｉｒｅ隣接セルと隣接セル関係を確立したりすることができる。
【０２３１】
本発明の上記実施形態において、ＭｕｌｔｅＦｉｒｅセルの測定プロセスに対し、基地局に必要とされるＭｕｌｔｅＦｉｒｅセルの測定結果を端末から基地局に報知することができるため、測定する必要のないＭｕｌｔｅＦｉｒｅセルの測定結果を端末から基地局に送信することが避けられる。よって、アップリンクシグナリングコストを低下させ、システム性能を向上させ、効果的なＭｕｌｔｅＦｉｒｅ隣接セル測定を行うことができる。
【０２３２】
さらに、ＬＡＡ隣接セル測定対象とＭｕｌｔｅＦｉｒｅ隣接セル測定対象を区別可能に指示できないことや、端末がどのようにＭｕｌｔｅＦｉｒｅ周波数帯での周波数点の全部集合または部分集合を測定するかの関連技術の問題に対し、本発明の一実施形態によれば、端末が、ＬＡＡの測定対象とＭｕｌｔｅＦｉｒｅの測定対象を区別することができ、すべてまたは一部のＭｕｌｔｅＦｉｒｅ周波数帯の周波数点のチャネル品質を測定することができ、ＬＴＥネットワークからＭｕｌｔｅＦｉｒｅネットワークへの端末の切り替えをサポートすることができる。
【０２３３】
本発明の上記実施形態において、基地局に送信される測定結果には、測定配置情報での測定識別子とは同一の測定識別子が運ばれる。
【０２３４】
本発明の上記実施形態において、基地局に送信される測定結果には、８より少ないセルの測定結果が含まれる。
【０２３５】
図１３は、本発明の一実施形態に係る無線通信ネットワーク用の測定装置を示す。図１３の測定装置１３０は、端末に備えられ、しかも、受信モジュール１３１と、特定モジュール１３２と、測定モジュール１３３と、送信モジュール１３４とを備える。
【０２３６】
受信モジュール１３１は、測定対象のタイプを区別することに用いられる区別識別子が運ばれる測定対象配置情報を含む測定配置情報を基地局から受信することに用いられる。
【０２３７】
特定モジュール１３２は、区別識別子に基づいて、測定対象を特定することに用いられる。測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む。区別識別子は、ＥＡＲＦＣＮである。
【０２３８】
測定モジュール１３３は、特定済みの測定対象を測定して測定結果を得ることに用いられる。
【０２３９】
送信モジュール１３４は、測定結果を基地局に送信することに用いられる。
【０２４０】
なお、装置の実施形態は、上記端末側の方法の実施形態に対応する装置である。上記端末側の方法の実施形態におけるすべての実現方式は、いずれも装置の実施形態に適用し、上記方法の実施形態と同一の技術効果を奏することもできる。
【０２４１】
図１４は、本発明の一実施形態に係る端末を示す。図１４の端末１４０は、受信機１４１と、プロセッサ１４２と、送信機１４２とを備える。
【０２４２】
受信機１４１は、測定対象のタイプを区別することに用いられる区別識別子が運ばれる測定対象配置情報を含む測定配置情報を基地局から受信することに用いられる。
【０２４３】
プロセッサ１４２は、区別識別子に基づいて測定対象を特定する機能と、特定済みの測定対象を測定して測定結果を得る機能とを実現するように構成される。ここで、測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む。区別識別子は、ＥＡＲＦＣＮである。
【０２４４】
送信機１４３は、測定結果を基地局に送信することに用いられる。
【０２４５】
なお、端末の実施形態は、上記端末側の方法の実施形態に対応する装置である。上記端末側の方法の実施形態におけるすべての実現方式は、いずれも装置の実施形態に適用し、上記方法の実施形態と同一の技術効果を奏することもできる。
【０２４６】
本発明の一実施形態に係る端末は、モバイル電話機（または携帯電話）や、無線信号の送受信が可能な機器であり、ユーザ機器（端末）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をＷｉＦｉ信号に変換可能なＣＰＥやＭｉｆｉ、スマート家電、またはそれ以外の人の操作によらずに自発的に移動通信ネットワークと通信可能な機器などが含まれる。
【０２４７】
本発明の上記実施形態によれば、基地局に必要されるＭｕｌｔｅＦｉｒｅセルの測定結果を端末から基地局に報知することができるため、測定する必要のないＭｕｌｔｅＦｉｒｅセルの測定結果を端末から基地局に送信することが避けられる。よって、アップリンクシグナリングコストを低下させ、システム性能を向上させ、効果的なＭｕｌｔｅＦｉｒｅ隣接セル測定を行うことができる。
【０２４８】
さらに、ＬＡＡ隣接セル測定対象とＭｕｌｔｅＦｉｒｅ隣接セル測定対象を区別可能に指示できないことや、端末がどのようにすべてまたは一部のＭｕｌｔｅＦｉｒｅ周波数帯での周波数点を測定するかの関連技術の問題に対し、本発明の一実施形態によれば、端末が、ＬＡＡの測定対象とＭｕｌｔｅＦｉｒｅの測定対象を区別することができ、すべてまたは一部のＭｕｌｔｅＦｉｒｅ周波数帯の周波数点のチャネル品質を測定することができ、ＬＴＥネットワークからＭｕｌｔｅＦｉｒｅネットワークへの端末の切り替えをサポートすることができる。
【０２４９】
以上の記載は、本発明の選択可能な実施形態である。なお、当業者にとって、本発明に記載した原理を逸脱することなくいくつかの改良や修飾を行うこともできる。これらの改良や修飾も、本発明の保護範囲として見なされるべきである。
【図１】
2019525560.tif 000014
【図２】
2019525560.tif 000015
【図３】
2019525560.tif 000016
【図４】
2019525560.tif 000017
【図５】
2019525560.tif 000018
【図６】
2019525560.tif 000019
【図７】
2019525560.tif 000020
【図８】
2019525560.tif 000021
【図９】
2019525560.tif 000022
【図１０】
2019525560.tif 000023
【図１１】
2019525560.tif 000024
【図１２】
2019525560.tif 000025
【図１３】
2019525560.tif 000026
【図１４】
2019525560.tif 000027
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
無線通信ネットワーク用の測定方法であって、
測定対象のタイプを区別することに用いられる区別識別子が運ばれる測定対象配置情報を含む測定配置情報を端末に送信することと、
該端末から特定済み測定対象の測定後に送信される測定結果を受信することとを含み、
前記特定済み測定対象は、前記端末が前記区別識別子に基づいて特定したものであり、
前記測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含み、
前記区別識別子は、絶対無線周波数チャネル番号である無線通信ネットワーク用の測定方法。
【請求項２】
前記測定対象のタイプがＭｕｌｔｅＦｉｒｅネットワークのセルである場合、
前記区別識別子は、さらに、ＭｕｌｔｅＦｉｒｅネットワークの指定周波数帯の指定周波数点を測定すること、または、指定ＭｕｌｔｅＦｉｒｅネットワークの周波数帯の周波数点の全体集合を測定すること、または、指定ＭｕｌｔｅＦｉｒｅネットワークの周波数帯の周波数点の部分集合を測定することを指示することに用いられ、
または、
前記測定対象配置情報には、指定ＭｕｌｔｅＦｉｒｅネットワークの周波数帯の周波数点の全体集合を測定すること、または、指定ＭｕｌｔｅＦｉｒｅネットワークの周波数帯の周波数点の部分集合を測定することを指示することに用いられるＭｕｌｔｅＦｉｒｅ周波数帯指示フィールドも運ばれ、
および／または、
前記ＬＡＡ周波数点に対応する第１絶対無線周波数チャネル番号は、前記ＭｕｌｔｅＦｉｒｅ周波数点に対応する第２絶対無線周波数チャネル番号とは異なり、かつ、前記第１絶対無線周波数チャネル番号と前記第２絶対無線周波数チャネル番号とは、同一周波数帯を使用し、
前記第１絶対無線周波数チャネル番号は、実際に使用される周波数帯での絶対無線周波数チャネル番号であり、
前記第２絶対無線周波数チャネル番号は、実際に使用されない周波数帯での絶対無線周波数チャネル番号である請求項１に記載の無線通信ネットワーク用の測定方法。
【請求項３】
前記ＬＡＡ周波数点に対応する第１絶対無線周波数チャネル番号は、前記ＭｕｌｔｅＦｉｒｅ周波数点に対応する第２絶対無線周波数チャネル番号とは異なり、かつ前記第１絶対無線周波数チャネル番号と前記第２絶対無線周波数チャネル番号とは、異なる周波数帯に属し、
前記第１絶対無線周波数チャネル番号は、実際に使用される周波数帯での絶対無線周波数チャネル番号であり、
前記第２絶対無線周波数チャネル番号は、現在定義されていない専用周波数帯番号に設定されるチャネル番号であり、
前記専用周波数帯番号には、定義されていない絶対無線周波数チャネル番号が対応付けて設定されている請求項１に記載の無線通信ネットワーク用の測定方法。
【請求項４】
前記測定配置情報には、測定報告配置情報がさらに含まれ、
該測定報告配置情報には、測定報告報知指示情報が運ばれ、または、前記測定配置情報の測定対象配置情報には、前記測定報告報知指示情報が運ばれ、
該測定報告報知指示情報は、指定ＭｕｌｔｅＦｉｒｅセルの測定結果を報知するよう端末に指示することに用いられる請求項１に記載の無線通信ネットワーク用の測定方法。
【請求項５】
無線通信ネットワーク用の測定方法であって、
ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む測定対象のタイプを区別することに用いられる区別識別子が運ばれる測定対象配置情報を含む測定配置情報を基地局から受信することと、
絶対無線周波数チャネル番号である前記区別識別子に基づいて前記測定対象を特定することと、
特定済みの前記測定対象を測定して測定結果を得ることと、
前記測定結果を基地局に送信することとを含む無線通信ネットワーク用の測定方法。
【請求項６】
前記区別識別子に基づいて前記測定対象を特定することは、
前記区分識別子が、前記ＬＡＡ周波数点に対応する第１絶対無線周波数チャネル番号であれば、ＬＡＡセルを測定対象として特定すること、
前記区分識別子が、ＭｕｌｔｅＦｉｒｅ周波数点に対応する第２絶対無線周波数チャネル番号であれば、前記ＭｕｌｔｅＦｉｒｅセルを前記測定対象として特定すること、
前記区分識別子が、前記ＬＴＥ周波数点に対応する第３絶対無線周波数チャネル番号であれば、前記ＬＴＥセルを前記測定対象として特定することを含む請求項５に記載の無線通信ネットワーク用の測定方法。
【請求項７】
前記ＭｕｌｔｅＦｉｒｅセルを前記測定対象として特定すると、
前記第２絶対無線周波数チャネル番号または前記測定対象配置情報に運ばれるＭｕｌｔｅＦｉｒｅ周波数帯識別子に基づいて、指定ＭｕｌｔｅＦｉｒｅ周波数帯の指定周波数点のセル、または、指定ＭｕｌｔｅＦｉｒｅ周波数帯の周波数点の全部集合のセル、または、指定ＭｕｌｔｅＦｉｒｅ周波数帯の周波数点の部分集合のセルを前記測定対象として特定することをさらに含む請求項６に記載の無線通信ネットワーク用の測定方法。
【請求項８】
前記ＬＡＡ周波数点に対応する第１絶対無線周波数チャネル番号は、前記ＭｕｌｔｅＦｉｒｅ周波数点に対応する第２絶対無線周波数チャネル番号とは異なり、かつ、前記第１絶対無線周波数チャネル番号と前記第２絶対無線周波数チャネル番号とは、同一周波数帯に属し、
前記第１絶対無線周波数チャネル番号は、実際に使用される周波数帯での絶対無線周波数チャネル番号であり、
前記第２絶対無線周波数チャネル番号は、実際に使用されない周波数帯での絶対無線周波数チャネル番号であり、
特定済みの前記測定対象を測定して測定結果を得ることは、
前記第２絶対無線周波数チャネル番号と、実際に使用される周波数帯での絶対無線周波数チャネル番号とのマッピング関係に基づいてＭｕｌｔｅＦｉｒｅの中心周波数点を得、前記ＭｕｌｔｅＦｉｒｅの中心周波数点のセルを測定して測定結果を得ることを含む請求項７に記載の無線通信ネットワーク用の測定方法。
【請求項９】
基地局で使用される無線通信ネットワーク用の測定装置であって、
測定対象のタイプを区別することに用いられる区別識別子が運ばれる測定対象配置情報を含む測定配置情報を端末に送信することに用いられる送信モジュールと、
前記端末から特定済み測定対象の測定後に送信される測定結果を受信することに用いられる受信モジュールとを備え、
前記特定済み測定対象は、前記端末が前記区別識別子に基づいて特定したものであり、
前記測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含み、
前記区別識別子は、絶対無線周波数チャネル番号である無線通信ネットワーク用の測定装置。
【請求項１０】
測定対象のタイプを区別することに用いられる区別識別子が運ばれる測定対象配置情報を含む測定配置情報を端末に送信することに用いられる送信機と、
前記端末から特定済み測定対象の測定後に送信される測定結果を受信することに用いられる受信機とを備え、
前記特定済み測定対象は、前記端末が前記区別識別子に基づいて特定したものであり、
前記測定対象のタイプは、ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含み、
前記区別識別子は、絶対無線周波数チャネル番号である基地局。
【請求項１１】
端末で使用される無線通信ネットワーク用の測定装置であって、
ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む測定対象のタイプを区別することに用いられる区別識別子が運ばれる測定対象配置情報を含む測定配置情報を基地局から受信することに用いられる受信モジュールと、
絶対無線周波数チャネル番号である前記区別識別子に基づいて、前記測定対象を特定することに用いられる特定モジュールと、
特定済みの前記測定対象を測定して測定結果を得ることに用いられる測定モジュールと、
前記測定結果を前記基地局に送信することに用いられる送信モジュールとを備える無線通信ネットワーク用の測定装置。
【請求項１２】
前記特定モジュールは、具体的に、
前記区分識別子が、前記ＬＡＡ周波数点に対応する第１絶対無線周波数チャネル番号であれば、前記ＬＡＡセルを前記測定対象として特定すること、
前記区分識別子が、前記ＭｕｌｔｅＦｉｒｅ周波数点に対応する第２絶対無線周波数チャネル番号であれば、前記ＭｕｌｔｅＦｉｒｅセルを測定対象として特定すること、
前記区分識別子が、前記ＬＴＥ周波数点に対応する第３絶対無線周波数チャネル番号であれば、前記ＬＴＥセルを前記測定対象として特定することに用いられる請求項１１に記載の無線通信ネットワーク用の測定装置。
【請求項１３】
前記ＭｕｌｔｅＦｉｒｅセルを前記測定対象として特定すると、さらに、
前記第２絶対無線周波数チャネル番号または前記測定対象配置情報に運ばれるＭｕｌｔｅＦｉｒｅ周波数帯識別子に基づいて、指定ＭｕｌｔｅＦｉｒｅ周波数帯の指定周波数点のセル、または、指定ＭｕｌｔｅＦｉｒｅ周波数帯の周波数点の全部集合のセル、または、指定ＭｕｌｔｅＦｉｒｅ周波数帯の周波数点の部分集合のセルを前記測定対象として特定する請求項１２に記載の無線通信ネットワーク用の測定装置。
【請求項１４】
前記ＬＡＡ周波数点に対応する第１絶対無線周波数チャネル番号は、前記ＭｕｌｔｅＦｉｒｅの周波数点に対応する第２絶対無線周波数チャネル番号とは異なり、かつ、前記第１絶対無線周波数チャネル番号と前記第２絶対無線周波数チャネル番号とは、同一周波数帯に属し、
前記第１絶対無線周波数チャネル番号は、実際に使用される周波数帯での絶対無線周波数チャネル番号であり、
前記第２絶対無線周波数チャネル番号は、実際に使用されない周波数帯での絶対無線周波数チャネル番号であり、
特定済みの前記測定対象を測定して前記測定結果を得ることは、
第２絶対無線周波数チャネル番号と、実際に使用される周波数帯での絶対無線周波数チャネル番号とのマッピング関係に基づいてＭｕｌｔｅＦｉｒｅの中心周波数点を得、前記ＭｕｌｔｅＦｉｒｅの中心周波数点のセルを測定して測定結果を得ることを含む請求項１３に記載の無線通信ネットワーク用の測定装置。
【請求項１５】
ＬＡＡ周波数点のＬＡＡセル、ＬＴＥ周波数点のＬＴＥセルまたはＭｕｌｔｅＦｉｒｅ周波数点のＭｕｌｔｅＦｉｒｅセルを含む測定対象のタイプを区別することに用いられる区別識別子が運ばれる測定対象配置情報を含む測定配置情報を基地局から受信することに用いられる受信機と、
絶対無線周波数チャネル番号である前記区別識別子に基づいて前記測定対象を特定する機能と、特定済みの前記測定対象を測定して測定結果を得る機能とを実現するように構成されるプロセッサと、
前記測定結果を基地局に送信することに用いられる送信機とを備える端末。
【国際調査報告】
2019525560.tif 000028
2019525560.tif 000029
2019525560.tif 000030
2019525560.tif 000031